(57)【要約】  本発明の実施形態は、デュアルカード・デュアルアクティブ通信方法、端末及びシステムを開示する。この方法は、デュアルカード・デュアルアクティブをサポートする端末に適用される。端末は、無線周波数回路と、無線周波数回路に別々に結合される第１のモデム及び第２のモデムを含む。第１のモデムは、第１のＩＰマルチメディア・サブシステムＩＭＳモジュールを含み、第２のモデムは、第２のＩＭＳモジュールを含む。この方法は、第１のＩＭＳモジュールによって、第１のモデム及び無線周波数回路を介してネットワーク側の第１のゲートウェイに第１のアクセス要求を送信し、ネットワーク側の第１のＩＭＳネットワークにアクセスすることを要求することと、第１のＩＭＳモジュールが、第１のゲートウェイを介して第１のＩＭＳネットワーク上に安定してキャンプするとき、第１のモデム及び無線周波数回路を介してネットワーク側の第２のゲートウェイに第２のアクセス要求を送信し、ネットワーク側の第２のＩＭＳネットワークにアクセスすることを要求することと、を含む。【選択図】  図２
2019533960.tif 000002
【特許請求の範囲】
【請求項１】
デュアルカード・デュアルアクティブをサポートする端末に適用されるデュアルカード・デュアルアクティブ通信方法であって、前記端末は、無線周波数回路と、前記無線周波数回路に別々に結合される第１のモデムと第２のモデムとを備え、前記第１のモデムは第１のインターネット・プロトコルＩＰマルチメディア・サブシステムＩＭＳモジュールを備え、前記第２のモデムは第２のＩＭＳモジュールを備え、
前記方法は、
前記第１のＩＭＳモジュールによって、前記第１のモデム及び前記無線周波数回路を介してネットワーク側の第１のゲートウェイに第１のアクセス要求を送信し、前記ネットワーク側の第１のＩＭＳネットワークにアクセスすることを要求することと、
前記第１のＩＭＳモジュールが、前記第１のゲートウェイを介して前記第１のＩＭＳネットワーク上に安定してキャンプするとき、前記第２のＩＭＳモジュールによって、前記第１のモデム及び前記無線周波数回路を介して前記ネットワーク側の第２のゲートウェイに第２のアクセス要求を送信し、前記ネットワーク側の第２のＩＭＳネットワークにアクセスすることを要求することと、
を含む、デュアルカード・デュアルアクティブ通信方法。
【請求項２】
前記第１のアクセス要求は、第１の加入者識別モジュールに対応する登録情報及び認証情報を含み、前記第２のＩＭＳモジュールが、前記第１のゲートウェイを介して前記第１のＩＭＳモジュールが前記第１のＩＭＳネットワーク上に安定してキャンプすることを判定することに従う条件は、
前記第１の加入者識別モジュールのための前記ネットワーク側によって送信された登録成功応答メッセージ及び認証成功応答メッセージを受信した後、前記第１のＩＭＳモジュールによって前記第２のＩＭＳモジュールに確認応答情報を送信することを含む、請求項１に記載の方法。
【請求項３】
前記第１のゲートウェイと前記第２のゲートウェイの両方がパケット・データ・ゲートウェイＰＧＷである、請求項１又は２に記載の方法。
【請求項４】
ネットワーク側に適用されるデュアルカード・デュアルアクティブ通信方法であって、前記ネットワーク側は、第１のゲートウェイと、第２のゲートウェイと、第３のゲートウェイと、前記第１のゲートウェイに結合された第１のＩＭＳネットワークと、前記第３のゲートウェイに結合された第２のＩＭＳネットワークとを備え、
前記方法は、
第１のゲートウェイによって、端末によって送信される第１のアクセス要求を受信し、前記第１のアクセス要求に基づいて、前記第１のＩＭＳネットワークと前記端末との間の通信接続を確立することと、
前記第２のゲートウェイにより、前記端末によって送信された第２のアクセス要求を受信し、ボイス・オーバー・ワイヤレス・フィデリティＶｏＷｉＦｉのメカニズムに基づいて前記第３のゲートウェイに対する伝送チャネルを確立し、前記伝送チャネルを介して前記第３のゲートウェイに前記第２のアクセス要求を送信することと、
前記第３のゲートウェイによって、前記第２のアクセス要求に基づいて、前記第２のＩＭＳネットワークと前記端末との間の通信接続を確立することと、
を含む、デュアルカード・デュアルアクティブ通信方法。
【請求項５】
前記第１のアクセス要求は、第１の加入者識別モジュールに対応する登録情報及び認証情報を含み、
前記方法は、
前記第１のＩＭＳネットワークによって、前記第１の加入者識別モジュールに対応する前記登録情報に基づいて前記第１の加入者識別モジュールに登録を実行し、前記第１の加入者識別モジュールに対応する前記認証情報に基づいて前記第１の加入者識別モジュールに認証を実行することと、
前記第１のゲートウェイ及び前記第２のゲートウェイを介して、前記第１の加入者識別モジュールに対する登録成功応答メッセージ及び認証成功応答メッセージを前記端末に送信することと、
をさらに含む、請求項４に記載の方法。
【請求項６】
前記第２のアクセス要求は、第２の加入者識別モジュールに対応する登録情報及び認証情報を含み、
前記方法は、
前記第２のＩＭＳネットワークによって、前記第２の加入者識別モジュールに対応する前記登録情報に基づいて、前記第２の加入者識別モジュール上に登録を実行することと、
前記第３のゲートウェイによって、前記第２の加入者識別モジュールに対応する前記認証情報に基づいて前記第２の加入者識別モジュール上で認証を行い、前記第２の加入者識別モジュールのための、前記第２のＩＭＳネットワークによって送信される、登録成功応答メッセージを受信し、前記第１のゲートウェイ及び前記第２のゲートウェイを介して前記第２のＳＩＭのための登録成功応答メッセージ及び認証成功応答メッセージを前記端末に送信することと、
をさらに含む、請求項４に記載の方法。
【請求項７】
前記ボイス・オーバー・ワイヤレス・フィデリティＶｏＷｉＦｉのメカニズムに基づいて、前記第２のゲートウェイによって前記第３のゲートウェイに対して確立された前記伝送チャネルが、インターネット・プロトコル・セキュリティＩＰｓｅｃチャネルである、請求項４乃至６のいずれか１項に記載の方法。
【請求項８】
前記第１のゲートウェイと前記第２のゲートウェイの両方がパケット・データ・ゲートウェイであり、前記第３のゲートウェイが進化型パケット・データ・ゲートウェイである、請求項４乃至７のいずれか１項に記載の方法。
【請求項９】
無線周波数回路と、前記無線周波数回路に別々に結合される第１のモデム及び第２のモデムとを備える端末であって、前記第１のモデムは、第１のＩＰマルチメディア・サブシステムＩＭＳモジュールを備え、前記第２のモデムは、第２のＩＭＳモジュールを備え、
前記第１のＩＭＳモジュールは、前記第１のモデム及び前記無線周波数回路を介してネットワーク側の第１のゲートウェイに第１のアクセス要求を送信し、前記ネットワーク側の第１のＩＭＳネットワークにアクセスすることを要求し、
前記第２のＩＭＳモジュールは、前記第１のＩＭＳモジュールが前記第１のゲートウェイを介して前記第１のＩＭＳネットワーク上に安定してキャンプすると判定されたとき、第２のアクセス要求を前記第１のモデム及び前記無線周波数回路を介して前記ネットワーク側の第２のゲートウェイに送信し、前記ネットワーク側の第２のＩＭＳネットワークにアクセスすることを要求するように構成された、端末。
【請求項１０】
前記第１のアクセス要求は、第１の加入者識別モジュールに対応する登録情報及び認証情報を含み、前記第２のＩＭＳモジュールが、前記第１のゲートウェイを介して前記第１のＩＭＳモジュールが前記第１のＩＭＳネットワーク上に安定してキャンプすることを判定する条件は、
前記第１の加入者識別モジュールのための前記ネットワーク側によって送信された登録成功応答メッセージ及び認証成功応答メッセージを受信した後、前記第１のＩＭＳモジュールによって前記第２のＩＭＳモジュールに確認応答情報を送信することである、請求項９に記載の端末。
【請求項１１】
前記第１のゲートウェイと前記第２のゲートウェイの両方がパケット・データ・ゲートウェイＰＧＷである、請求項９又は１０に記載の端末。
【請求項１２】
通信ネットワークであって、前記通信ネットワークは、第１のゲートウェイと、第２のゲートウェイと、第３のゲートウェイと、前記第１のゲートウェイに結合された第１のＩＭＳネットワークと、前記第３のゲートウェイに結合された第２のＩＭＳネットワークとを含み、
前記第１のゲートウェイは、端末によって送信される第１のアクセス要求を受信し、第１のアクセス要求に基づいて、第１のＩＭＳネットワークと端末との間の通信接続を確立するように構成され、
前記第２のゲートウェイは、端末によって送信された第２のアクセス要求を受信し、ボイス・オーバー・ワイヤレス・フィデリティＶｏＷｉＦｉのメカニズムに基づいて前記第３のゲートウェイに対して伝送チャネルを確立し、伝送チャネルを介して前記第３のゲートウェイに前記第２のアクセス要求を送信するように構成され、
前記第３のゲートウェイは、前記第２のアクセス要求に基づいて、前記第２のＩＭＳネットワークと前記端末との間の通信接続を確立するように構成される、通信ネットワーク。
【請求項１３】
前記第１のアクセス要求は、第１の加入者識別モジュールに対応する登録情報及び認証情報を含み、
前記第１のＩＭＳネットワークは、前記第１の加入者識別モジュールに対応する前記登録情報に基づいて前記第１の加入者識別モジュール上で登録を実行し、前記第１の加入者識別モジュールに対応する前記認証情報に基づいて前記第１の加入者識別モジュール上で認証を実行するように構成され、
前記第１のゲートウェイ及び前記第２のゲートウェイを介して、前記第１の加入者識別モジュールに対する登録成功応答メッセージ及び認証成功応答メッセージを前記端末に送信する、請求項１２に記載の通信ネットワーク。
【請求項１４】
前記第２のアクセス要求は、第２の加入者識別モジュールに対応する登録情報及び認証情報を含み、
前記第２のＩＭＳネットワークは、前記第２の加入者識別モジュールに対応する前記登録情報に基づいて、前記第２の加入者識別モジュール上で登録を実行するように構成され、
前記第３のゲートウェイは、さらに、前記第２の加入者識別モジュールに対応する前記認証情報に基づいて、前記第２の加入者識別モジュール上で認証を実行し、
第２の加入者識別モジュールに対する前記第２のＩＭＳネットワークによって送信される登録成功応答メッセージを受信し、
前記第１のゲートウェイ及び前記第２のゲートウェイを介して前記第２のＳＩＭに対する前記登録成功応答メッセージ及び認証成功応答メッセージを前記端末に送信するように構成される、請求項１２に記載の通信ネットワーク。
【請求項１５】
前記ボイス・オーバー・ワイヤレス・フィデリティＶｏＷｉＦｉのメカニズムに基づいて、前記第２のゲートウェイによって前記第３のゲートウェイに対して確立された前記伝送チャネルが、インターネット・プロトコル・セキュリティＩＰｓｅｃチャネルである、請求項１２乃至１４のいずれか１項に記載の通信ネットワーク。
【請求項１６】
前記第１のゲートウェイと前記第２のゲートウェイの両方がパケット・データ・ゲートウェイであり、前記第３のゲートウェイが進化型パケット・データ・ゲートウェイである、請求項１２乃至１５のいずれか１項に記載の通信ネットワーク。
【請求項１７】
請求項９乃至請求項１１のいずれか１項に記載の端末と、請求項１２乃至請求項１６のいずれか１項に記載の通信ネットワークとを含む、通信システム。
【請求項１８】
コンピュータ読取可能命令を含むコンピュータ読取可能記憶媒体であって、コンピュータが前記コンピュータ読取可能命令を読み取って実行するとき、前記コンピュータは、請求項１乃至請求項３のいずれか１項に記載の方法を実行することが可能になる、コンピュータ読取可能記憶媒体。
【請求項１９】
コンピュータ読取可能命令を含むコンピュータ・プログラム製品であって、コンピュータが前記コンピュータ読取可能命令を読取って実行するとき、前記コンピュータは、請求項１乃至３のいずれか１項に記載の方法を実行することが可能になる、コンピュータ・プログラム製品。
【請求項２０】
コンピュータ読取可能命令を含むコンピュータ読取可能記憶媒体であって、コンピュータが前記コンピュータ読取可能命令を読み取って実行するとき、前記コンピュータは、請求項４乃至８のいずれか１項に記載の方法を実行することが可能になる、コンピュータ読取可能記憶媒体。
【請求項２１】
コンピュータ読取可能命令を含むコンピュータ・プログラム製品であって、コンピュータが前記コンピュータ読取可能命令を読取って実行するとき、前記コンピュータは、請求項４乃至８のいずれか１項に記載の方法を実行することが可能になる、コンピュータ・プログラム製品。
【発明の詳細な説明】
【技術分野】
【０００１】
本出願は、２０１６年１０月３１日に中国特許庁に提出された「デュアルカード・デュアルアクティブ通信方法、端末、ネットワーク及びシステム（ＤＵＡＬ  ＣＡＲＤ  ＤＵＡＬ  ＡＣＴＩＶＥ  ＣＯＭＭＵＮＩＣＡＴＩＯＮ  ＭＥＴＨＯＤ，  ＴＥＲＭＩＮＡＬ，  ＮＥＴＷＯＲＫ，  ＡＮＤ  ＳＹＳＴＥＭ）」と題する中国特許出願番号ＣＮ２０１６１０９３２９７３．８に対する優先権を主張するものであり、この明細書はその全体が参照により本明細書に組み込まれる。単なる簡単な説明のために、原文は、本明細書中でその全体を繰り返さない。
【０００２】
（技術分野）
本発明は、移動体通信技術の分野に関し、特に、デュアルカード・デュアルアクティブ通信方法（ａ  ｄｕａｌ  ｃａｒｄ  ｄｕａｌ  ａｃｔｉｖｅ  ｃｏｍｍｕｎｉｃａｔｉｏｎ  ｍｅｔｈｏｄ）、端末、ネットワーク、及びシステムに関する。
【背景技術】
【０００３】
無線通信技術の急速な発展に伴い、人々は無線端末にますます依存するようになっている。ユーザにより利便性を与えるために、端末は、デュアルカード・シングルアクティブ及びデュアルカード・デュアルアクティブの２つのタイプを特に含み得るデュアルカード通信をすでにサポートしている。デュアルカード通信技術では、端末のチップが２組のベースバンド処理プロトコルをサポートすることが要求される。更に、端末は、無線周波数の１組及びアンテナの１組を有してもよく、対応するデュアルカード通信技術は、デュアルカード・シングルアクティブである。確かに、端末は２組の無線周波数と２組のアンテナを有してもよく、対応するデュアルカード通信技術はデュアルカード・デュアルアクティブである。
【０００４】
しかし、無線周波数の１組とアンテナの１組がある場合（すなわち、デュアルカード・シングルアクティブ）、ユーザが端末に記憶された１つの加入者識別モジュール（ｓｕｂｓｃｒｉｂｅｒ  ｉｄｅｎｔｉｔｙ  ｍｏｄｕｌｅ、ＳＩＭ）カードを使用して呼び出したとき、他のＳＩＭカードは通常ページング情報を受信できず、ユーザ体験に影響を与える。さらに悪いことに、２つのＳＩＭカードに対応するページング期間が競合する場合、ページング・ミッシング確率（ｐａｇｉｎｇ  ｍｉｓｓｉｎｇ  ｐｒｏｂａｂｉｌｉｔｙ）はさらに増大する。
【０００５】
ユーザ体験を改善し、ページング・ミッシング問題を回避するために、デュアルカード・デュアルアクティブをサポートする携帯電話を使用することができる。しかし、デュアルカード・デュアルアクティブ技術では、無線周波数チップとアンテナに対する要求は非常に高い。２組の無線周波数チップと２組のアンテナが必要とされるため、製造プロセスにおいて統合を行うことは極めて困難であり、対応する端末のハードウェア・コストも比較的高い。
【発明の概要】
【０００６】
本発明の実施形態は、ページング・ミッシング確率を低減するためのデュアルカード・デュアルアクティブ通信方法、端末、ネットワーク、及びシステムを提供する。
【０００７】
第１の態様によれば、本発明は、デュアルカード・デュアルアクティブ通信方法を提供し、デュアルカード・デュアルアクティブをサポートする端末にこの方法を適用する。端末は、無線周波数回路と、無線周波数回路に別々に結合される第１のモデム及び第２のモデムを含む。第１のモデムは、第１のインターネット・プロトコル（インターネット・プロトコル、ＩＰ）マルチメディア・サブシステム（ＩＰマルチメディア・サブシステム、ＩＭＳ）モジュールを含み、第２のモデムは、第２のＩＭＳモジュールを含む。この方法は、第１のＩＭＳモジュールによって、第１のモデム及び無線周波数回路を介してネットワーク側の第１のゲートウェイに第１のアクセス要求を送信し、ネットワーク側の第１のＩＭＳネットワークにアクセスすることを要求することと、第１のＩＭＳモジュールが、第１のゲートウェイを介して第１のＩＭＳネットワーク上に安定してキャンプするとき、第１のモデム及び無線周波数回路を介してネットワーク側の第２のゲートウェイに第２のアクセス要求を送信し、ネットワーク側の第２のＩＭＳネットワークにアクセスすることを要求することと、を含む。
【０００８】
端末は、１組の無線周波数回路及び１組のモデムを使用して２つの通信リンクを実装する。デュアルカード・デュアルアクティブを低コストで実現できる。さらに、２つの異なる通信リンクがあるため、ページング・ミッシング確率とページング確率を低減することができる。
【０００９】
第１の態様を参照すると、第１の態様の第１の可能な実装において、第１のアクセス要求は、第１の加入者識別モジュールに対応する登録情報及び認証情報を含む。第２のＩＭＳモジュールが、第１のゲートウェイを介して第１のＩＭＳネットワーク上に第１のＩＭＳモジュールが安定してキャンプすると判定する条件は、第１の加入者識別モジュールのためのネットワーク側によって送信された登録成功応答メッセージ及び認証成功応答メッセージを受信した後に、第１のＩＭＳモジュールによって第２のＩＭＳモジュールに受信確認情報を送信することを含む。
【００１０】
第１のＩＭＳモジュールが第１のＩＭＳネットワーク上に安定してキャンプすると判定されたときにのみ、第２のＩＭＳモジュールと第２のＩＭＳネットワークとの間の通信接続を確立することができる。さらに、端末側は、ネットワーク側から送信される登録成功応答メッセージ及び認証成功応答メッセージを受信し、登録成功応答メッセージは、第１のＩＭＳネットワークが第１の加入者識別モジュール上で登録を成功裏に行うことを示し、認証成功応答メッセージは、第１のＩＭＳネットワークが第１の加入者識別モジュール上で認証を成功裏に行うことを示す。
【００１１】
第１の態様又は第１の態様の第１の可能な実装を参照すると、第１の態様の第２の可能な実装において、第１のゲートウェイ及び第２のゲートウェイは両方ともパケット・データ・ゲートウェイである。
【００１２】
第２の態様によれば、本発明は、デュアルカード・デュアルアクティブ通信方法を提供し、この方法をネットワーク側に適用する。ネットワーク側は、第１のゲートウェイ、第２のゲートウェイ、第３のゲートウェイ、第１のゲートウェイに結合された第１のＩＭＳネットワーク、及び第３のゲートウェイに結合された第２のＩＭＳネットワークを含む。この方法は、第１のゲートウェイによって、端末によって送信された第１のアクセス要求を受信し、第１のアクセス要求に基づいて第１のＩＭＳネットワークと端末との間の通信接続を確立することと、第２のゲートウェイによって、端末によって送信された第２のアクセス要求を受信し、無線ワイファイの音声メカニズム（Ｖｏｉｃｅ  ｏｖｅｒ  Ｗｉ−Ｆｉ、ＶｏＷｉＦｉ）に基づいて第３のゲートウェイに対して伝送チャネルを確立し、伝送チャネルを使用して第２のアクセス要求を第３のゲートウェイに送信することと、第３のゲートウェイによって、第２のアクセス要求に基づいて第２のＩＭＳネットワークと端末との間の通信接続を確立することとを含む。
【００１３】
ネットワーク側は、デュアルカード・デュアルアクティブを実装するために、２つの通信リンクを使用することにより、端末側への通信接続を別々に確立する。さらに、端末側は無線周波数回路の１組とモデムの１組のみを使用するので、デュアルカード・デュアルアクティブを低コストで実装することができる。さらに、２つの異なる通信リンクがあるため、ページング・ミッシング確率とページング確率を低減することができる。
【００１４】
第２の態様を参照すると、第２の態様の第１の可能な実装において、第１のアクセス要求は、第１の加入者識別モジュールＳＩＭカードに対応する登録情報及び認証情報を含む。
この方法は、さらに、第１のＩＭＳネットワークによって、第１の加入者識別モジュールに対応する登録情報に基づいて第１の加入者識別モジュールに登録を実行し、第１の加入者識別モジュールに対応する認証情報に基づいて第１の加入者識別モジュールに認証を実行することと、第１のゲートウェイ及び第２のゲートウェイを介して第１の加入者識別モジュールに対する登録成功応答メッセージ及び認証成功応答メッセージを端末に送信することと、を含む。
【００１５】
第１のＩＭＳネットワークは、第１の加入者識別モジュールの有効性を検証するために、第１の加入者識別モジュール上で登録及び認証を実行する。登録と認証が成功した後、端末側に通知し、端末側は、第１のＩＭＳモジュールと第１のＩＭＳネットワークとの間の通信接続が確立され、第１のＩＭＳモジュールが第１のＩＭＳネットワーク上に安定してキャンプできると判断する。
【００１６】
第２の態様を参照すると、第２の態様の第２の可能な実装において、第２のアクセス要求は、第２の加入者識別モジュールに対応する登録情報及び認証情報を含む。この方法は、さらに、第２のＩＭＳネットワークによって、第２の加入者識別モジュールに対応する登録情報に基づいて第２の加入者識別モジュール上に登録を実行することと、第３のゲートウェイによって、第２の加入者識別モジュールに対応する認証情報に基づいて第２の加入者識別モジュール上に認証を実行し、第２の加入者識別モジュールのための第２のＩＭＳネットワークによって送信される登録成功応答メッセージを受信し、第１のゲートウェイ及び第２のゲートウェイを介して、第２のＳＩＭのための登録成功応答メッセージ及び認証成功応答メッセージを端末に送信することと、を含む。
【００１７】
第２のＩＭＳネットワークは、第２の加入者識別モジュールの有効性を検証するために、第２の加入者識別モジュール上で登録及び認証を実行する。本発明では、第３のゲートウェイを介して第２の加入者識別モジュール上で認証を行うため、第２の加入者識別モジュール上で認証を行う従来の方法が放棄されることに留意されたい。
【００１８】
第２の態様の第２の可能な実装に対する第２の態様のうちのいずれか１つを参照すると、第２の態様の第３の可能な実装において、ボイス・オーバー・ワイヤレス・フィデリティＶｏＷｉＦｉのメカニズムに基づいて第２のゲートウェイから第３のゲートウェイに確立された伝送チャネルは、インターネット・プロトコル・セキュリティ（Ｉｎｔｅｒｎｅｔ  Ｐｒｏｔｏｃｏｌ  Ｓｅｃｕｒｉｔｙ、略してＩＰｓｅｃ）チャネルである。
【００１９】
ＶｏＷｉＦｉのメカニズムに基づいて、第２のゲートウェイと第３のゲートウェイとの間のＩＰｓｅｃチャネルを確立することは、専用ネットワークとインターネットとの間の競合を回避し、データ伝送のセキュリティと信頼性を確保する。
【００２０】
第２の態様のうちのいずれか１つに関して、第２の態様の第３の可能な実装に関して、第２の態様の第４の可能な実装において、第１のゲートウェイと第２のゲートウェイは両方ともパケット・データ・ゲートウェイであり、第３のゲートウェイは進化型パケット・データ・ゲートウェイである。
【００２１】
第３の態様によれば、本発明の１実施形態は、端末をさらに提供し、端末は、無線周波数回路と、無線周波数回路に別々に結合される第１のモデム及び第２のモデムを含む。第１のモデムは、第１のＩＰマルチメディア・サブシステムＩＭＳモジュールを含み、第２のモデムは、第２のＩＭＳモジュールを含む。第１のＩＭＳモジュールは、第１のモデム及び無線周波数回路を介してネットワーク側の第１のゲートウェイに第１のアクセス要求を送信し、ネットワーク側の第１のＩＭＳネットワークにアクセスすることを要求する。第２のＩＭＳモジュールは、第１のＩＭＳモジュールが第１のゲートウェイを介して第１のＩＭＳネットワーク上に安定してキャンプすると判定されたとき、第２のアクセス要求を第１のモデム及び無線周波数回路を介してネットワーク側の第２のゲートウェイに送信し、ネットワーク側の第２のＩＭＳネットワークにアクセスすることを要求するように構成される。
【００２２】
端末は、１組の無線周波数回路及び１組のモデムを使用して２つの通信リンクを実行する。デュアルカード・デュアルアクティブを低コストで実装できる。さらに、２つの異なる通信リンクがあるため、ページング・ミッシング確率とページング確率を低減することができる。
【００２３】
第３の態様を参照すると、第３の態様の第１の可能な実装において、第１のアクセス要求は、第１の加入者識別モジュールに対応する登録情報及び認証情報を含む。第２のＩＭＳモジュールが、第１のゲートウェイを介して第１のＩＭＳネットワーク上に第１のＩＭＳモジュールが安定してキャンプすると判定することに従う条件は、第１の加入者識別モジュールのためのネットワーク側によって送信された登録成功応答メッセージ及び認証成功応答メッセージを受信した後、第１のＩＭＳモジュールによって第２のＩＭＳモジュールに受信確認情報を送信することを含む。
【００２４】
第１のＩＭＳモジュールが第１のＩＭＳネットワーク上に安定してキャンプすると判定された場合にのみ、第２のＩＭＳモジュールと第２のＩＭＳネットワークとの間の通信接続は確立することができる。さらに、具体的な判定方法は、端末側がネットワーク側から送信される登録成功応答メッセージ及び認証成功応答メッセージを受信することであり、
登録成功応答メッセージは、第１のＩＭＳネットワークが第１の加入者識別モジュール上で登録を成功裏に行うことを示し、認証成功応答メッセージは、第１のＩＭＳネットワークが第１の加入者識別モジュール上で認証を成功裏に行うことを示す。
【００２５】
第３の態様又は第３の態様の第１の可能な実装を参照して、第３の態様の第２の可能な実装において、第１のゲートウェイ及び第２のゲートウェイは両方ともパケット・データ・ゲートウェイＰＧＷである。
【００２６】
第４の態様によれば、本発明の１実施形態は、通信ネットワークをさらに提供し、通信ネットワークは、第１のゲートウェイと、第２のゲートウェイと、第３のゲートウェイと、第１のゲートウェイに結合された第１のＩＭＳネットワークと、第３のゲートウェイに結合された第２のＩＭＳネットワークとを含む。第１のゲートウェイは、端末によって送信される第１のアクセス要求を受信し、第１のアクセス要求に基づいて、第１のＩＭＳネットワークと端末との間の通信接続を確立するように構成される。第２のゲートウェイは、端末によって送信された第２のアクセス要求を受信し、ＶｏＷｉＦｉのメカニズムに基づいて第３のゲートウェイに対して伝送チャネルを確立し、伝送チャネルを使用して第３のゲートウェイに第２のアクセス要求を送信するように構成される。第３のゲートウェイは、第２のアクセス要求に基づいて、第２のＩＭＳネットワークと端末との間の通信接続を確立するように構成される。
【００２７】
ネットワーク側は、デュアルカード・デュアルアクティブを実行するために、２つの通信リンクを使用することにより、端末側への通信接続を別々に確立する。さらに、端末側は無線周波数回路の１組とモデムの１組のみを使用するので、デュアルカード・デュアルアクティブを低コストで実装することができる。さらに、２つの異なる通信リンクがあるため、ページング・ミッシング確率とページング確率を低減することができる。
【００２８】
第４の態様を参照すると、第４の態様の第１の可能な実装において、第１のアクセス要求は、第１の加入者識別モジュールに対応する登録情報及び認証情報を含む。第１のＩＭＳネットワークは、第１の加入者識別モジュールに対応する登録情報に基づいて第１の加入者識別モジュールに登録を実行し、第１の加入者識別モジュールに対応する認証情報に基づいて第１の加入者識別モジュールに認証を実行し、第１の加入者識別モジュールに対する登録成功応答メッセージ及び認証成功応答メッセージを第１のゲートウェイ及び第２のゲートウェイを介して端末に送信するように構成される。
【００２９】
第１のＩＭＳネットワークは、第１の加入者識別モジュールの有効性を検証するために、第１の加入者識別モジュール上で登録及び認証を実行する。登録と認証が成功した後、端末側に通知し、端末側は、第１のＩＭＳモジュールと第１のＩＭＳネットワークとの間の通信接続が確立され、第１のＩＭＳモジュールが第１のＩＭＳネットワーク上に安定してキャンプできると判断する。
【００３０】
第４の態様を参照すると、第４の態様の第２の可能な実装において、第２のアクセス要求は、第２の加入者識別モジュールに対応する登録情報及び認証情報を含む。第２のＩＭＳネットワークは、第２の加入者識別モジュールに対応する登録情報に基づいて、第２の加入者識別モジュール上で登録を実行するように構成される。第３のゲートウェイは、さらに、第２の加入者識別モジュールに対応する認証情報に基づいて第２の加入者識別モジュール上で認証を実行し、第２の加入者識別モジュールのための第２のＩＭＳネットワークによって送信される登録成功応答メッセージを受信し、第１のゲートウェイ及び第２のゲートウェイを介して第２のＳＩＭのための登録成功応答メッセージ及び認証成功応答メッセージを端末に送信するように構成される。
【００３１】
第２のＩＭＳネットワークは、第２の加入者識別モジュールの有効性を検証するために、第２の加入者識別モジュール上で登録及び認証を実行する。本発明では、第３のゲートウェイを介して第２の加入者識別モジュール上で認証を行うために、第２の加入者識別モジュール上で認証を行う従来の方法が放棄されることに留意されたい。
【００３２】
第４の態様のうちのいずれか１つから第４の態様の第２の可能な実装を参照して、第４の態様の第３の可能な実装において、ＶｏＷｉＦｉのメカニズムに基づいて第２のゲートウェイによって第３のゲートウェイに対して確立された伝送チャネルは、インターネット・プロトコル・セキュリティＩＰｓｅｃチャネルである。
【００３３】
ＶｏＷｉＦｉのメカニズムに基づいて、第２のゲートウェイと第３のゲートウェイとの間のＩＰｓｅｃチャネルを確立することは、専用ネットワークとインターネットとの間の競合を回避し、データ伝送のセキュリティと信頼性を確保する。
【００３４】
第４の態様のいずれか１態様から第４の態様の第３の可能な実装までを参照して、第４の態様の第４の可能な実装において、第１のゲートウェイ及び第２のゲートウェイは両方ともパケット・データ・ゲートウェイであり、第３のゲートウェイは進化型パケット・データ・ゲートウェイである。
【００３５】
第５の態様によれば、本発明の１実施形態は、通信システムをさらに提供し、通信システムは、第３の態様のいずれか１態様から第３の態様の第２の可能な実施の形態までの端末と、第４の態様のいずれか１態様から第４の態様の第４の可能な実施の形態までの通信ネットワークとを含む。
【００３６】
第６の態様によれば、本発明の１実施形態は、コンピュータ読取可能命令を含むコンピュータ読取可能記憶媒体を提供する。コンピュータがコンピュータ読取可能命令を読取って実行するとき、コンピュータは、デュアルカード・デュアルアクティブ通信方法を実行できるようになる。
【００３７】
第７の態様によれば、本発明の１実施形態は、コンピュータ読取可能命令を含むコンピュータ・プログラム製品を提供する。コンピュータがコンピュータ読取可能命令を読取って実行すると、コンピュータは、デュアルカード・デュアルアクティブ通信方法を実行できるようになる。
【００３８】
以上の技術的解決策に基づき、本発明の実施形態で提供されるデュアルカード・デュアルアクティブ通信方法において、端末に含まれる第１のＩＭＳモジュールは、第１のモデム及び無線周波数回路を介してネットワーク側の第１のゲートウェイに第１のアクセス要求を送信し、第１のＩＭＳモジュールが、第１のゲートウェイを介して第１のＩＭＳネットワーク上に安定してキャンプするとき、第２のＩＭＳモジュールは、モデム及び無線周波数回路の同じセットを介して第２のゲートウェイに第２のアクセス要求を送信し、ネットワーク側の第２のＩＭＳネットワークにアクセスすることを要求する。すなわち、端末は、デュアルカード・デュアルアクティブを実行するために、モデムと無線周波数回路の同じセットを介して２つの通信リンクを確立することができる。このようにして、デュアルカード・デュアルアクティブを実装した場合、製造コストと製造困難性が低減される。さらに、２つの異なる通信リンクがあるため、ページング・ミッシング確率をさらに低減することができる。
【図面の簡単な説明】
【００３９】
【図１Ａ】本発明の１実施形態によるデュアルカード・デュアルアクティブ通信方法に対応する適用シナリオの構成図である。
【図１Ｂ】本発明の１実施形態によるデュアルカード・デュアルアクティブ通信方法に対応する適用シナリオの構成図である。
【００４０】
【図２】本発明の１実施形態によるデュアルカード・デュアルアクティブ通信方法の概略フローチャートである。
【００４１】
【図３】本発明の１実施形態による別のデュアルカード・デュアルアクティブ通信方法の概略フローチャートである。
【００４２】
【図４】本発明の１実施形態による端末の概略構造図である。
【００４３】
【図５】本発明の１実施形態による通信ネットワークの概略構造図である。
【００４４】
【図６】本発明の１実施形態による通信システムの概略構造図である。
【発明を実施するための形態】
【００４５】
本発明の技術的解決策は、添付の図面及び以下の実施形態を参照してさらに詳細に説明する。
【００４６】
本発明の実施形態の目的、技術的解決策、及び利点をより明確にするために、以下は、本発明の実施形態における添付図面を参照して、本発明の実施形態における技術的解決策を明瞭かつ完全に説明する。明らかに、記載した実施形態は、本発明の実施形態のすべてではなく、その１部である。創造的努力なしに、本発明の実施形態に基づいて当業者によって取得される他のすべての実施例は、本発明の保護範囲内に含まれるものとする。
【００４７】
図１Ａ及び図１Ｂは、本発明の１実施形態によるデュアルカード・デュアルアクティブ通信方法に対応する適用シナリオの構成図である。図１Ａ及び図１Ｂに示すように、適用シナリオの構成図は、端末、第１のゲートウェイ、第２のゲートウェイ、第３のゲートウェイ、第１のＩＭＳネットワーク、及び第２のＩＭＳネットワークを示す。端末は、デュアルカード・デュアルアクティブ機能をサポートする携帯電話であり、第１のゲートウェイは、第１のオペレータに対応する第１のパケット・データ・ゲートウェイ（Ｐａｃｋｅｔ  Ｄａｔａ  Ｇａｔｅｗａｙ、略してＰＧＷ）であってもよく、第２のゲートウェイは、第２のオペレータに対応する第２のＰＧＷゲートウェイであってもよく、第３のゲートウェイは、進化型パケット・データ・ゲートウェイ（Ｅｖｏｌｖｅｄ  Ｐａｃｋｅｔ  Ｄａｔａ  Ｇａｔｅｗａｙ、ＥＰＤＧ）であってもよい。さらに、システムは、第１のオペレータに対応する、第１の基地局（進化型ＮｏｄｅＢ（ｅｖｏｌｖｅｄ  ＮｏｄｅＢ）、略してｅＮＢ）、第１のモビリティ管理ユニット（Ｍｏｂｉｌｉｔｙ  Ｍａｎａｇｅｍｅｎｔ  Ｅｎｔｉｔｙ、略してＭＭＥ）、第１のサービス・ゲートウェイ（Ｓｅｒｖｉｎｇ  ＧａｔｅＷａｙ、略してＳ−ＧＷ）、第１のポリシー及び課金ルール機能（Ｐｏｌｉｃｙ  ａｎｄ  Ｃｈａｒｇｉｎｇ  Ｒｕｌｅｓ  Ｆｕｎｃｔｉｏｎ、略してＰＣＲＦ）ユニット、第１のホーム加入者サーバ（Ｈｏｍｅ  Ｓｕｂｓｃｒｉｂｅｒ  Ｓｅｒｖｅｒ、略してＨＳＳ）及び第１のＡＡＡ  （認証、認可及びアカウンティング（Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ）、略してＡＡＡ）サーバ、ならびに第２のオペレータに対応する第２の基地局、第２のＭＭＥ、第２のＳ−ＧＷ、第２のＰＣＲＦ、第２のＨＳＳ、及び第２のＡＡＡサーバなどをさらに含むことができる。機能的構成要素間の特定の接続関係を図１Ａ及び図１Ｂに示す。実線トラックは、第１のオペレータに対応する通信要素間の通信リンクのトラックであり、破線は、第２のオペレータに対応する通信要素間の通信リンクのトラックを表す。本明細書においては、さらなる説明は提供されない。端末、第１のゲートウェイ、第２のゲートウェイ、第３のゲートウェイ、第１のＩＭＳネットワーク、第２のＩＭＳネットワークなどによって実行される機能については、本発明の実施形態１及び実施の形態２において提供されるデュアルカード・デュアルアクティブを実装するための通信方法手順の説明を参照のこと。さらに、本発明において、他の残りの構成要素は、主に、第１の加入者識別モジュール及び第２の加入者識別モジュール上で登録及び認証を実行するように構成される。特定の登録及び認証プロセスは、既存の第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）標準プロトコルに詳細に記載されている。詳細は関連プロトコルを参照のこと。詳細は本明細書には記載しない。
【００４８】
図２は、本発明の１実施形態によるデュアルカード・デュアルアクティブ通信方法の概略フローチャート２００である。この方法は、デュアルカード・デュアルアクティブをサポートする端末に適用される。端末は、無線周波数回路と、無線周波数回路に別々に結合される第１のモデム及び第２のモデムを含む。第１のモデムは、第１のＩＰマルチメディア・サブシステムＩＭＳモジュールを含み、第２のモデムは、第２のＩＭＳモジュールを含む。端末のコンポーネントによって実行される方法は、以下のステップを含むことができる。
【００４９】
ステップ２１０：第１のＩＭＳモジュールは、第１のモデム及び無線周波数回路を使用して、ネットワーク側の第１のゲートウェイに第１のアクセス要求を送信し、ネットワーク側の第１のＩＭＳネットワークにアクセスすることを要求する。
【００５０】
具体的には、第１の要求は、第１の加入者識別モジュールに対応する登録情報及び認証情報を含むので、ネットワーク側の第１のＩＭＳネットワークは、第１の加入者識別モジュールの登録情報に基づいて第１の加入者識別モジュールに登録を行い、第１の加入者識別モジュールの認証情報に基づいて第１の加入者識別モジュールに認証を行う。ＳＩＭカードに加えて、加入者識別モジュールは、さらに、汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ、ＵＳＩＭ）カード又は仮想ＳＩＭカードのような、通信に使用することができる加入者識別モジュールカードであってもよい。特定の登録プロセス及び認証プロセスは、３ＧＰＰプロトコルに詳細に記載されている。詳細は本明細書には記載しない。
【００５１】
第２のＩＭＳモジュールが、第１のＩＭＳネットワーク上で第１のＩＭＳモジュールがキャンプに成功していると判断する条件は、第１の加入者識別モジュールのためのネットワーク側によって送信された登録成功応答メッセージ及び認証成功応答メッセージを受信した後、第１のＩＭＳモジュールは、受信確認情報を第２のＩＭＳモジュールに送信し、第２のＩＭＳモジュールは、第１のＩＭＳモジュールが第１のＩＭＳネットワーク上で成功裏にキャンプを実行すると判断することである。
【００５２】
ステップ２２０：第１のＩＭＳモジュールが、第１のゲートウェイを使用して第１のＩＭＳネットワーク上に安定してキャンプするとき、第２のＩＭＳモジュールは、第１のモデム及び無線周波数回路を使用して、ネットワーク側の第２のゲートウェイに第２のアクセス要求を送信し、ネットワーク側の第２のＩＭＳネットワークにアクセスすることを要求する。
【００５３】
具体的には、第２の要求は、第２の加入者識別モジュールに対応する登録情報及び認証情報を含むので、ネットワーク側の第２のＩＭＳネットワークは、第２の加入者識別モジュールの登録情報に基づいて第２の加入者識別モジュールに登録を行い、ネットワーク側の第３のゲートウェイは、第２の加入者識別モジュールの認証情報に基づいて第２の加入者識別モジュールに対応する認証情報に対して認証を行う。第２のＩＭＳネットワークが第２の加入者識別モジュールに登録を実行するプロセスは、３ＧＰＰプロトコルに詳細に記載され、第３のゲートウェイが第２の加入者識別モジュールに認証を実行するプロセスは、第１のＩＭＳネットワークが第１の加入者識別モジュールに認証を実行するプロセスと同一又は類似のプロセスである。これは、ステップ２１０と同様である。同様に、本明細書においては、さらなる説明は提供されない。
【００５４】
さらに、好ましくは、第１のゲートウェイ及び第２のゲートウェイはＰＧＷであり、第３のゲートウェイはｅＰＤＧである。
【００５５】
以上の技術的解決に基づき、本発明の本実施の形態で提供されるデュアルカード・デュアルアクティブ通信方法において、端末に含まれる第１のＩＭＳモジュールは、第１のモデム及び無線周波数回路を使用してネットワーク側の第１のゲートウェイに第１のアクセス要求を送信し、第１のＩＭＳモジュールが、第１のゲートウェイを使用して第１のＩＭＳネットワーク上に安定してキャンプするとき、第２のＩＭＳモジュールは、モデム及び無線周波数回路の同じセットを使用して第２のアクセス要求を第２のゲートウェイに送信して、ネットワーク側の第２のＩＭＳネットワークにアクセスすることを要求する。すなわち、端末は、デュアルカード・デュアルアクティブを実装するために、モデムと無線周波数回路の同じセットを使用することによって、２つの通信リンクを確立することができる。このようにして、デュアルカード・デュアルアクティブを実装した場合、製造コストと製造困難性が低減される。さらに、２つの異なる通信リンクがあるため、ページング・ミッシング確率をさらに低減することができる。
【００５６】
図３は、本発明の１実施形態によるデュアルカード・デュアルアクティブ通信方法の概略フローチャートである。この方法は通信ネットワークに適用される。通信ネットワークは、第１のゲートウェイ、第２のゲートウェイ、第３のゲートウェイ、第１のゲートウェイに結合された第１のＩＭＳネットワーク、及び第３のゲートウェイに結合された第２のＩＭＳネットワークを含む。さらに、ネットワーク側のコンポーネントによって特に実行される方法ステップには、以下のステップが含まれる。
【００５７】
ステップ３１０：第１のゲートウェイは、端末によって送信された第１のアクセス要求を受信し、第１のアクセス要求に基づいて、第１のＩＭＳネットワークと端末との間の通信接続を確立する。
【００５８】
具体的には、第１のアクセス要求は、第１の加入者識別モジュールに対応する登録情報及び認証情報を含む。端末によって送信された第１のアクセス要求を受信した後、第１のゲートウェイは第１のアクセス要求を第１のＩＭＳネットワークに転送する。第１のＩＭＳネットワークは、まず、第１のアクセス要求内にあり、第１の加入者識別モジュールに対応する登録情報に基づいて、第１の加入者識別モジュールに登録を実行し、第１のＳＩＭに対応する認証情報に基づいて、第１の加入者識別モジュールに認証を実行する。特定の登録プロセス及び認証プロセスは、３ＧＰＰプロトコルに詳細に記載されている。詳細は本明細書に記載しない。第１のＩＭＳネットワークは、さらに、第１のゲートウェイ及び第２のゲートウェイを使用することによって、第１の加入者識別モジュールに対する登録成功応答メッセージ及び認証成功応答メッセージを端末に送信するように構成される。
【００５９】
ステップ３２０：第２のゲートウェイは、端末によって送信された第２のアクセス要求を受信し、ＶｏＷｉＦｉのメカニズムに基づいて第３のゲートウェイへの伝送チャネルを確立し、伝送チャネルを使用して第２のアクセス要求を第３のゲートウェイに送信する。
【００６０】
具体的には、第２のアクセス要求は、第２の加入者識別モジュールに対応する登録情報及び認証情報を含む。端末によって送信された第２のアクセス要求を受信した後、第２のゲートウェイは、第２のアクセス要求を第３のゲートウェイに転送もする。伝送チャネルは、ＶｏＷｉＦｉのメカニズムに基づいて、第２のゲートウェイと第３のゲートウェイとの間に確立される。好ましくは、伝送チャネルは、ＩＰｓｅｃチャネルであってもよい。次に、暗号化されたデータ伝送を実行し、データ伝送のセキュリティを確保するために、ＩＰｓｅｃチャネルを使用して、第２のアクセス要求を第３のゲートウェイに伝送する。
【００６１】
ステップ３３０：第３のゲートウェイは、第２のアクセス要求に基づいて、第２のＩＭＳネットワークと端末との間の通信接続を確立するように構成される。
【００６２】
具体的には、第３のゲートウェイは、第２のアクセス要求内にあり、第２の加入者識別モジュールの登録情報を、第２のＩＭＳネットワークに送信する。第２のＩＭＳネットワークは、第２のアクセス要求内にあり、第２の加入者識別モジュールに対応する登録情報に基づいて、第２の加入者識別モジュールに対する登録をさらに実行することができる。登録が成功すると、第２のＩＭＳネットワークは、登録成功応答メッセージを第３のゲートウェイに送る必要がある。第３のゲートウェイは、第２の加入者識別モジュールに対し、第２のＩＭＳネットワークによって送信される登録成功応答メッセージを受信する必要がある。より重要なことに、第３のゲートウェイは、第２のアクセス要求内にあり、第２の加入者識別モジュールに対応する認証情報に基づいて、第２の加入者識別モジュール上で認証を実行するように構成される。次に、第３のゲートウェイは、第１のゲートウェイ及び第２のゲートウェイを使用して、第２の加入者識別モジュールに対する登録成功応答メッセージ及び認証成功応答メッセージを端末に送信する。同様に、登録プロセス及び認証プロセスは、３ＧＰＰプロトコルに詳細に記載されている。詳細は本明細書に記載しない。
【００６３】
好ましくは、第１のゲートウェイ及び第２のゲートウェイはＰＧＷであり、第３のゲートウェイはｅＰＤＧである。
【００６４】
本発明は、主に、ネットワーク側の送信ＭＳネットワークが端末に記憶された加入者識別モジュール上で登録を成功裏に行うことを示す登録成功応答メッセージ、及びネットワーク側の送信ＭＳネットワークが端末に記憶された加入者識別モジュール上で認証を成功裏に行うことを示す認証成功応答メッセージ（上述のように、第３のゲートウェイが第２の加入者識別モジュール上で認証をさらに実行してもよい）を例示することを理解されたい。登録及び認証が成功した場合にのみ、第１の加入者識別モジュール又は第２の加入者識別モジュールと他の加入者識別モジュールとの間の通信接続を確立することができる。確かに、ＩＭＳネットワークは、加入者識別モジュール上で登録又は認証を実行できないことがある。この場合、端末側とネットワーク側との間の通信接続の確立に失敗する。
【００６５】
第１のゲートウェイを使用して端末と第１のＩＭＳネットワークとの間の通信接続を確立し、第２のゲートウェイと第３のゲートウェイを使用して端末と第２のＩＭＳネットワークとの間の通信接続を確立した後、呼接続を実行してもよい。
【００６６】
特定の実施形態では、第１のＩＭＳネットワークは、第１の呼アクセス要求が存在するか否かを定期的に検出する。例えば、第１の呼アクセス要求がある場合、第１のＩＭＳネットワークは、第１の指示情報を第１のゲートウェイに送信し、その結果、第１のゲートウェイは、端末装置の第１のＩＭＳモジュールに第１の指示情報を転送する。第１のＩＭＳモジュールは、第１の指示情報に基づいて呼接続を確立する。端末装置の画面には応答アイコンと終了アイコンが表示され、第１の呼接続にユーザが応答したり、切断したりすることができる。
【００６７】
あるいは、別の特定の例では、第２のＩＭＳネットワークはまた、第２の呼アクセス要求が存在するか否かを定期的に検出する。第２のアクセス要求があるとき、第２のＩＭＳネットワークは、第２の指示情報を第３のゲートウェイに送信し、その結果、第３のゲートウェイは、第２のゲートウェイを使用して、端末装置内の第２のＩＭＳモジュールに第２の指示情報を転送する。第２のＩＭＳモジュールは、第２の指示情報に基づいて呼接続を確立する。端末装置の画面には応答アイコンと終了アイコンが表示され、第１の呼接続にユーザが応答したり、切断したりすることができる。しかしながら、特別な場合、例えば、第１のモデム及び無線周波数回路を使用して第１のＩＭＳモジュールと第１のＩＭＳネットワークとの間の接続が確立されている場合、すなわち、「占有（ｏｃｃｕｐｉｅｄ）」状態では、外部呼が第２のＩＭＳネットワークを使用して端末内の第２のＩＭＳモジュールへの接続を確立しようとするとき、接続は失敗する。特定の実装プロセスは、携帯電話が呼接続を実行するプロセスに類似している。詳細は本明細書に記載しない。
【００６８】
本発明の実施の形態で提供されるデュアルカード・デュアルアクティブ通信方法において、端末に含まれる第１のＩＭＳモジュールは、第１のモデム及び無線周波数回路を使用してネットワーク側の第１のゲートウェイに第１のアクセス要求を送信し、第１のＩＭＳモジュールが、第１のゲートウェイを使用して第１のＩＭＳネットワーク上に安定してキャンプする場合、第２のＩＭＳモジュールは、モデム及び無線周波数回路の同じセットを使用して第２のゲートウェイに第２のアクセス要求を送信して、ネットワーク側の第２のＩＭＳネットワークにアクセスすることを要求する。すなわち、端末は、デュアルカード・デュアルアクティブを実装するために、モデムと無線周波数回路の同じセットを使用することによって、２つの通信リンクを確立することができる。このようにして、デュアルカード・デュアルアクティブを実装した場合、製造コストと製造困難性が低減される。さらに、２つの異なる通信リンクがあるため、ページング・ミッシング確率をさらに低減することができる。
【００６９】
本発明のこの実施の形態で提供されるデュアルカード・デュアルアクティブ通信方法において、第１のゲートウェイは、端末によって送信される第１のアクセス要求を受信し、第１のアクセス要求に基づいて、第１のＩＭＳネットワークと端末との間の通信接続を確立する。第２のゲートウェイは、端末によって送信された第２のアクセス要求を受信し、端末が第１のＩＭＳネットワーク上に安定してキャンプするとき、第２のゲートウェイは、ＶｏＷｉＦｉのメカニズムに基づいて第３のゲートウェイに対して伝送チャネルを確立し、第３のゲートウェイを使用して第２のアクセス要求に基づいて第２のＩＭＳネットワークと端末との間の通信接続を確立する。デュアルカード・デュアルアクティブを実装すると、製造コストと製造困難性を低減できる。さらに、２つの異なる通信リンクがあるため、ページング・ミッシング確率をさらに低減することができる。
【００７０】
なお、実施例１及び実施例２を含めた上述のデュアルカード・デュアルアクティブを実行するための通信方法手順においては、上記に関連する登録プロセス及び認証プロセスは１回のみ実行されることに留意されたい。登録及び認証が成功した後は、その後の操作中に再度動作を行う必要はなく、前述の具体例に対応した呼接続が実行される。
【００７１】
本発明の１実施形態は、さらに、端末を提供する。端末のコンポーネントによって実行される方法ステップは、図２に示される方法手順に対応する。関連する機能については、方法ステップと方法手順を参照のこと。具体的には、図４に示すように、図４は、本発明の１実施形態による端末４００の概略構造図である。端末は、無線周波数回路４１と、無線周波数回路に別々に結合された第１のモデム４２及び第２のモデム４３とを含む。第１のモデム４２は、第１のＩＰマルチメディア・サブシステムＩＭＳモジュール４２０を含み、第２のモデム４２は、第２のＩＭＳモジュール４３０を含む。
【００７２】
第１のＩＭＳモジュール４２０は、第１のモデム４２及び無線周波数回路４１を使用することによって、ネットワーク側の第１のゲートウェイに第１のアクセス要求を送信し、ネットワーク側の第１のＩＭＳネットワークにアクセスすることを要求する。
【００７３】
第１のＩＭＳモジュール４２０が、第１のゲートウェイを使用することによって第１のＩＭＳネットワーク上に安定してキャンプすると判定されたとき、第２のＩＭＳモジュール４３０は、第１のモデム４２及び無線周波数回路４１を使用することによって、ネットワーク側の第２のゲートウェイに第２のアクセス要求を送信し、ネットワーク側の第２のＩＭＳネットワークにアクセスすることを要求する。
【００７４】
第１のアクセス要求には、第１の加入者識別モジュールに対応する登録情報及び認証情報が含まれる。さらに、第２のＩＭＳモジュールが、第１のゲートウェイを使用することによって第１のＩＭＳモジュールが第１のＩＭＳネットワーク上に安定してキャンプすると判定する条件は、第１の加入者識別モジュールのためのものネットワーク側によって送信された登録成功応答メッセージ及び認証成功応答メッセージを受信した後、第１のＩＭＳモジュールによって第２のＩＭＳモジュールに受信確認情報を送信することである。
【００７５】
好ましくは、第１のゲートウェイと第２のゲートウェイの両方は、パケット・データ・ゲートウェイＰＧＷである。
【００７６】
実行時に、本発明の実施例３で提供される端末の構成要素は、本発明の実施例１で提供されるデュアルカード・デュアルアクティブ通信方法で実行される方法ステップを実行する。構成要素の動きの詳細については、本発明の実施形態１に提供される方法を参照のこと。詳細はここでは再び記載しない。
【００７７】
本発明の実施例３に記載の端末によれば、端末に含まれる第１のＩＭＳモジュールは、第１のモデム及び無線周波数回路を使用してネットワーク側の第１のゲートウェイに第１のアクセス要求を送信し、第１のＩＭＳモジュールが、第１のゲートウェイを使用して第１のＩＭＳネットワーク上に安定してキャンプするとき、第２のＩＭＳモジュールは、モデム及び無線周波数回路の同じセットを使用して第２のゲートウェイに第２のアクセス要求を送信して、ネットワーク側の第２のＩＭＳネットワークにアクセスすることを要求する。すなわち、端末は、デュアル・カード・デュアル・アクティブを実装するために、モデムと無線周波数回路の同じセットを使用することによって、２つの通信リンクを確立することができる。従って、デュアルカード・デュアルアクティブを実装した場合、製造コストと製造困難性が低減される。さらに、２つの異なる通信リンクがあるため、ページング・ミッシング確率をさらに低減することができる。
【００７８】
本発明の１実施形態は、さらに、通信ネットワークを提供し、通信ネットワークは、図２に示される方法手順に対応する。関連する機能については、通信ネットワーク及び方法手順を参照のこと。具体的には、図５に示すように、図５は、本発明の１実施形態によるネットワーク側における伝送システム５００の概略構造図である。システムは、第１のゲートウェイ５１、第２のゲートウェイ５２、第３のゲートウェイ５３、第１のゲートウェイ５１に結合された第１のＩＭＳネットワーク５４、及び第３のゲートウェイ５３に結合された第２のＩＭＳネットワーク５５を含む。
【００７９】
第１のゲートウェイ５１は、端末によって送信される第１のアクセス要求を受信し、第１のアクセス要求に基づいて、第１のＩＭＳネットワーク５４と端末との間の通信接続を確立するように構成される。
【００８０】
第１のアクセス要求には、第１の加入者識別モジュールに対応する登録情報及び認証情報が含まれる。第１のＩＭＳネットワーク５４は、第１の加入者識別モジュールに対応する登録情報に基づいて第１の加入者識別モジュール上で登録を実行し、第１の加入者識別モジュールに対応する認証情報に基づいて第１の加入者識別モジュール上で認証を実行するように構成される。次に、第１のＩＭＳネットワークは、第１のゲートウェイ５１及び第２のゲートウェイ５２を使用して、第１の加入者識別モジュールに対する登録成功応答メッセージ及び認証成功応答メッセージを端末に送信し、端末は、第１の加入者識別モジュールに対する登録成功応答メッセージ及び認証成功応答メッセージに基づいて、端末と第１のＩＭＳネットワーク５４との間の通信接続が確立され、端末が第１のＩＭＳネットワーク５４上に安定してキャンプすることを判定する。
【００８１】
第２のゲートウェイ５２は、端末によって送信された第２のアクセス要求を受信し、ＶｏＷｉＦｉのメカニズムに基づいて第３のゲートウェイ５３に対して伝送チャネルを確立し、伝送チャネルを使用して第３のゲートウェイ５３に第２のアクセス要求を送信するように構成される。
【００８２】
第３のゲートウェイ５３は、第２のアクセス要求に基づいて、第２のＩＭＳネットワーク５５と端末との間の通信接続を確立するように構成される。
【００８３】
具体的には、第２のアクセス要求は、第２の加入者識別モジュールに対応する登録情報及び認証情報を含む。第２のＩＭＳネットワーク５５は、第２の加入者識別モジュールに対応する登録情報に基づいて、第２の加入者識別モジュール上で登録を実行するように構成される。第３のゲートウェイ５３は、さらに、第２の加入者識別モジュールに対応する認証情報に基づいて第２の加入者識別モジュール上で認証を実行し、第２の加入者識別モジュールのための第２のＩＭＳネットワーク５５によって送信される登録成功応答メッセージを受信し、第１のゲートウェイ５１及び第２のゲートウェイ５２を使用して、第２のＳＩＭのための登録成功応答メッセージ及び認証成功応答メッセージを端末に送信するように構成される。
【００８４】
好ましくは、ＶｏＷｉＦｉのメカニズムに基づいて第２のゲートウェイ５２によって第３のゲートウェイ５３に対して確立された伝送チャネルは、暗号化データ伝送を実行し、データ伝送のセキュリティを保証するために、インターネット・プロトコル・セキュリティＩＰｓｅｃチャネルであってもよい。さらに、第１のゲートウェイ５１と第２のゲートウェイ５２の両方はパケット・データ・ゲートウェイであり、第３のゲートウェイ５３は進化型パケット・データ・ゲートウェイである。
【００８５】
動作中、本発明の実施例４で提供されるネットワーク側の伝送システムの構成要素は、本発明の実施例２で提供されるデュアルカード・デュアルアクティブ通信方法で実行される方法ステップを実行する。コンポーネントの動きの詳細については、本発明の実施形態２に記載の方法を参照のこと。詳細はここでは再び記載しない。
【００８６】
本発明のこの実施形態で提供されるネットワーク側の伝送システムにおいて、第１のゲートウェイは、端末によって送信される第１のアクセス要求を受信し、第１のアクセス要求に基づいて、第１のＩＭＳネットワークと端末との間の通信接続を確立する。第２のゲートウェイは、端末によって送信された第２のアクセス要求を受信し、端末が第１のＩＭＳネットワーク上に安定してキャンプするとき、第２のゲートウェイは、ＶｏＷｉＦｉのメカニズムに基づいて第３のゲートウェイに対する伝送チャネルを確立し、第３のゲートウェイを使用して第２のアクセス要求に基づいて第２のＩＭＳネットワークと端末との間の通信接続を確立する。デュアルカード・デュアルアクティブを実装すると、製造コストと製造困難性を低減できる。さらに、２つの異なる通信リンクがあるため、ページング・ミッシング確率をさらに低減することができる。
【００８７】
さらに、本発明の１実施形態は、通信システム６００をさらに提供する。具体的には、図６に示されるように、システムは、実施例３に説明される端末６０１と、実施例４に説明されるネットワーク側に伝送システム６０２とを含む。システムの端末６０１及びネットワーク側伝送システム６０２によって実行される方法ステップは、上で詳細に説明された。詳細はここでは再び記載しない。第１のＩＭＳモジュールとネットワーク側との間の通信接続を確立するトラックについては、図６の通信リンク１（実線トラック）を参照のこと。さらに、第２のＩＭＳモジュールとネットワーク側との間の接続を確立するトラックについては、図６の通信リンク２（破線部）を参照のこと。
【００８８】
本明細書に開示される実施形態に記載される方法又はアルゴリズムのステップは、ハードウェア、処理モジュールによって実行されるソフトウェア・モジュール、又はそれらの組み合わせによって実装されてもよい。ソフトウェア・モジュールは、ランダム・アクセス・メモリ（ＲＡＭ）、メモリ、リードオンリー・メモリ（ＲＯＭ）、電気的プログラム可能ＲＯＭ、電気的消去可能プログラマブルＲＯＭ、レジスタ、ハード・ディスク、リムーバブル・ディスク、ＣＤ−ＲＯＭ、又は当技術分野で公知の任意の他の形式の記憶媒体に存在することができる。
【００８９】
上述の特定の実施形態では、本発明の目的、技術的解決策、及び利点についてさらに詳細に説明した。上述の説明は、単に本発明の特定の実装に過ぎず、本発明の保護範囲を限定することを意図するものではないことを理解されたい。本発明の精神及び原理から逸脱することなくなされるいかなる修正、均等物の交換、又は改良も、本発明の保護範囲に含まれるべきである。
【図１Ａ】
2019533960.tif 000003
【図１Ｂ】
2019533960.tif 000004
【図２】
2019533960.tif 000005
【図３】
2019533960.tif 000006
【図４】
2019533960.tif 000007
【図５】
2019533960.tif 000008
【図６】
2019533960.tif 000009
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
デュアルカード・デュアルアクティブをサポートする端末に適用されるデュアルカード・デュアルアクティブ通信方法であって、前記端末は、無線周波数回路と、前記無線周波数回路に別々に結合される第１のモデムと第２のモデムとを備え、前記第１のモデムは第１のインターネット・プロトコル・マルチメディア・サブシステム（ＩＭＳ）モジュールを備え、前記第２のモデムは第２のＩＭＳモジュールを備え、
前記方法は、
前記第１のＩＭＳモジュールによって、前記第１のモデム及び前記無線周波数回路を介してネットワーク側の第１のゲートウェイに第１のアクセス要求を送信し、前記ネットワーク側の第１のＩＭＳネットワークにアクセスすることを要求することと、
前記第１のＩＭＳモジュールが、前記第１のゲートウェイを介して前記第１のＩＭＳネットワーク上に安定してキャンプするとき、前記第２のＩＭＳモジュールによって、前記第１のモデム及び前記無線周波数回路を介して前記ネットワーク側の第２のゲートウェイに第２のアクセス要求を送信し、前記ネットワーク側の第２のＩＭＳネットワークにアクセスすることを要求することと、
を含む、デュアルカード・デュアルアクティブ通信方法。
【請求項２】
前記第１のアクセス要求は、第１の加入者識別モジュールに対応する登録情報及び認証情報を含み、
前記第２のアクセス要求は、第２の加入者識別モジュールに対応する登録情報及び認証情報を含む、
請求項１に記載の方法。
【請求項３】
前記第１のＩＭＳモジュールによって、前記第１の加入者識別モジュールのための前記ネットワーク側からの登録成功応答メッセージ及び認証成功応答メッセージを受信し、
前記第１のＩＭＳモジュールによって前記第２のＩＭＳモジュールに確認応答情報を送信することをさらに含む、請求項２に記載の方法。
【請求項４】
前記第１のゲートウェイと前記第２のゲートウェイの両方がパケット・データ・ゲートウェイ（ＰＧＷ）である、請求項１乃至３のいずれか１項に記載の方法。
【請求項５】
ネットワーク側に適用されるデュアルカード・デュアルアクティブ通信方法であって、前記ネットワーク側は、第１のゲートウェイと、第２のゲートウェイと、第３のゲートウェイと、前記第１のゲートウェイに結合された第１のインターネット・プロトコル・マルチメディア・サブシステム（ＩＭＳ）ネットワークと、前記第３のゲートウェイに結合された第２のＩＭＳネットワークとを備え、
前記方法は、
第１のゲートウェイによって、端末によって送信される第１のアクセス要求を受信し、前記第１のアクセス要求に基づいて、前記第１のＩＭＳネットワークと前記端末との間の通信接続を確立することと、
前記第２のゲートウェイにより、前記端末によって送信された第２のアクセス要求を受信し、ボイス・オーバー・ワイヤレス・フィデリティ（ＶｏＷｉＦｉ）のメカニズムに基づいて前記第３のゲートウェイに対する伝送チャネルを確立し、前記伝送チャネルを介して前記第３のゲートウェイに前記第２のアクセス要求を送信することと、
前記第３のゲートウェイによって、前記第２のアクセス要求に基づいて、前記第２のＩＭＳネットワークと前記端末との間の通信接続を確立することと、
を含む、デュアルカード・デュアルアクティブ通信方法。
【請求項６】
前記第１のアクセス要求は、第１の加入者識別モジュールに対応する登録情報及び認証情報を含み、
前記方法は、
前記第１のＩＭＳネットワークによって、前記登録情報に基づいて前記第１の加入者識別モジュールに登録を実行し、前記認証情報に基づいて前記第１の加入者識別モジュールに認証を実行することと、
前記第１のゲートウェイ及び前記第２のゲートウェイを介して、前記第１の加入者識別モジュールに対する登録成功応答メッセージ及び認証成功応答メッセージを前記端末に送信することと、
をさらに含む、請求項５に記載の方法。
【請求項７】
前記第２のアクセス要求は、第２の加入者識別モジュールに対応する登録情報及び認証情報を含み、
前記方法は、
前記第２のＩＭＳネットワークによって、前記登録情報に基づいて、前記第２の加入者識別モジュール上に登録を実行することと、
前記第３のゲートウェイによって、前記認証情報に基づいて前記第２の加入者識別モジュール上で認証を行い、前記第２の加入者識別モジュールのための、前記第２のＩＭＳネットワークによって送信される、登録成功応答メッセージを受信し、前記第１のゲートウェイ及び前記第２のゲートウェイを介して前記第２の加入者識別モジュールのための登録成功応答メッセージ及び認証成功応答メッセージを前記端末に送信することと、
をさらに含む、請求項５に記載の方法。
【請求項８】
前記ＶｏＷｉＦｉのメカニズムに基づいて、前記第２のゲートウェイによって前記第３のゲートウェイに対して確立された前記伝送チャネルが、インターネット・プロトコル・セキュリティ（ＩＰｓｅｃ）チャネルである、請求項５乃至７のいずれか１項に記載の方法。
【請求項９】
前記第１のゲートウェイと前記第２のゲートウェイの両方がパケット・データ・ゲートウェイであり、前記第３のゲートウェイが進化型パケット・データ・ゲートウェイである、請求項５乃至８のいずれか１項に記載の方法。
【請求項１０】
無線周波数回路と、前記無線周波数回路に別々に結合される第１のモデム及び第２のモデムとを備える端末であって、前記第１のモデムは、第１のインターネット・プロトコル・マルチメディア・サブシステム（ＩＭＳ）モジュールを備え、前記第２のモデムは、第２のＩＭＳモジュールを備え、
前記第１のＩＭＳモジュールは、前記第１のモデム及び前記無線周波数回路を介してネットワーク側の第１のゲートウェイに第１のアクセス要求を送信し、前記ネットワーク側の第１のＩＭＳネットワークにアクセスすることを要求するように構成され、
前記第２のＩＭＳモジュールは、前記第１のＩＭＳモジュールが前記第１のゲートウェイを介して前記第１のＩＭＳネットワーク上に安定してキャンプするとき、第２のアクセス要求を前記第１のモデム及び前記無線周波数回路を介して前記ネットワーク側の第２のゲートウェイに送信し、前記ネットワーク側の第２のＩＭＳネットワークにアクセスすることを要求するように構成された、端末。
【請求項１１】
前記第１のアクセス要求は、第１の加入者識別モジュールに対応する登録情報及び認証情報を含み、
前記第２のアクセス要求は、第２の加入者識別モジュールに対応する登録情報及び認証情報を含む、
請求項１０に記載の端末。
【請求項１２】
前記第１のＩＭＳモジュールは、前記第１の加入者識別モジュールのための前記ネットワーク側によって送信された登録成功応答メッセージ及び認証成功応答メッセージを受信し、
前記第２のＩＭＳモジュールに確認応答情報を送信するように構成された、請求項１１に記載の端末。
【請求項１３】
前記第１のゲートウェイと前記第２のゲートウェイの両方がパケット・データ・ゲートウェイＰＧＷである、請求項１０乃至１２のいずれか１項に記載の端末。
【請求項１４】
通信ネットワークであって、前記通信ネットワークは、第１のゲートウェイと、第２のゲートウェイと、第３のゲートウェイと、前記第１のゲートウェイに結合された第１のインターネット・プロトコル・マルチメディア・サブシステム（ＩＭＳ）ネットワークと、前記第３のゲートウェイに結合された第２のＩＭＳネットワークとを含み、
前記第１のゲートウェイは、端末によって送信される第１のアクセス要求を受信し、第１のアクセス要求に基づいて、第１のＩＭＳネットワークと端末との間の通信接続を確立するように構成され、
前記第２のゲートウェイは、端末によって送信された第２のアクセス要求を受信し、ボイス・オーバー・ワイヤレス・フィデリティ（ＶｏＷｉＦｉ）のメカニズムに基づいて前記第３のゲートウェイに対して伝送チャネルを確立し、伝送チャネルを介して前記第３のゲートウェイに前記第２のアクセス要求を送信するように構成され、
前記第３のゲートウェイは、前記第２のアクセス要求に基づいて、前記第２のＩＭＳネットワークと前記端末との間の通信接続を確立するように構成される、通信ネットワーク。
【請求項１５】
前記第１のアクセス要求は、第１の加入者識別モジュールに対応する登録情報及び認証情報を含み、
前記第１のＩＭＳネットワークは、前記第１の加入者識別モジュールに対応する前記登録情報に基づいて前記第１の加入者識別モジュール上で登録を実行し、前記第１の加入者識別モジュールに対応する前記認証情報に基づいて前記第１の加入者識別モジュール上で認証を実行するように構成され、
前記第１のゲートウェイ及び前記第２のゲートウェイを介して、前記第１の加入者識別モジュールに対する登録成功応答メッセージ及び認証成功応答メッセージを前記端末に送信する、請求項１４に記載の通信ネットワーク。
【請求項１６】
前記第２のアクセス要求は、第２の加入者識別モジュールに対応する登録情報及び認証情報を含み、
前記第２のＩＭＳネットワークは、前記第２の加入者識別モジュールに対応する前記登録情報に基づいて、前記第２の加入者識別モジュール上で登録を実行するように構成され、
前記第３のゲートウェイは、さらに、前記第２の加入者識別モジュールに対応する前記認証情報に基づいて、前記第２の加入者識別モジュール上で認証を実行し、
第２の加入者識別モジュールに対する前記第２のＩＭＳネットワークによって送信される登録成功応答メッセージを受信し、
前記第１のゲートウェイ及び前記第２のゲートウェイを介して前記第２の加入者識別モジュールに対する前記登録成功応答メッセージ及び認証成功応答メッセージを前記端末に送信するように構成される、請求項１４に記載の通信ネットワーク。
【請求項１７】
前記ＶｏＷｉＦｉのメカニズムに基づいて、前記第２のゲートウェイによって前記第３のゲートウェイに対して確立された前記伝送チャネルが、インターネット・プロトコル・セキュリティ（ＩＰｓｅｃ）チャネルである、請求項１４乃至１６のいずれか１項に記載の通信ネットワーク。
【請求項１８】
前記第１のゲートウェイと前記第２のゲートウェイの両方がパケット・データ・ゲートウェイであり、前記第３のゲートウェイが進化型パケット・データ・ゲートウェイである、請求項１４乃至１７のいずれか１項に記載の通信ネットワーク。
【請求項１９】
請求項１０乃至請求項１３のいずれか１項に記載の端末と、請求項１４乃至請求項１８のいずれか１項に記載の通信ネットワークとを含む、通信システム。
【請求項２０】
コンピュータ読取可能命令を含むコンピュータ読取可能記憶媒体であって、コンピュータが前記コンピュータ読取可能命令を読み取って実行するとき、前記コンピュータは、請求項１乃至請求項９のいずれか１項に記載の方法を実行することが可能になる、コンピュータ読取可能記憶媒体。
【請求項２１】
コンピュータ読取可能命令を含むコンピュータ・プログラムであって、コンピュータが前記コンピュータ読取可能命令を読取って実行するとき、前記コンピュータは、請求項１乃至９のいずれか１項に記載の方法を実行することが可能になる、コンピュータ・プログラム。
【請求項２２】
第１のモデムと第２のモデムを備える、装置であって、
前記第１のモデムは、第１のインターネット・プロトコル・マルチメディア・サブシステム（ＩＭＳ）モジュールを備え、前記第２のモデムは、第２のＩＭＳモジュールを備え、前記第１のモデムと前記第２のモデムは、別々に無線周波数回路に結合され、
前記第１のＩＭＳモジュールは、前記第１のモデム及び前記無線周波数回路を介してネットワーク側の第１のゲートウェイに第１のアクセス要求を送信し、前記ネットワーク側の第１のＩＭＳネットワークにアクセスすることを要求するように構成され、
前記第２のＩＭＳモジュールは、前記第１のＩＭＳモジュールが前記第１のゲートウェイを介して前記第１のＩＭＳネットワーク上に安定してキャンプするとき、第２のアクセス要求を前記第１のモデム及び前記無線周波数回路を介して前記ネットワーク側の第２のゲートウェイに送信し、前記ネットワーク側の第２のＩＭＳネットワークにアクセスすることを要求するように構成された、装置。
【請求項２３】
前記第１のアクセス要求は、第１の加入者識別モジュールに対応する登録情報及び認証情報を含み、
前記第２のアクセス要求は、第２の加入者識別モジュールに対応する登録情報及び認証情報を含む、
請求項２２に記載の装置。
【請求項２４】
前記第１のＩＭＳモジュールは、前記第１の加入者識別モジュールのための前記ネットワーク側によって送信された登録成功応答メッセージ及び認証成功応答メッセージを受信し、
前記第２のＩＭＳモジュールに確認応答情報を送信するように構成された、請求項２３に記載の方法。
【請求項２５】
前記第１のゲートウェイ及び前記第２のゲートウェイの両方が、パケット・データ・ゲートウェイ（ＰＧＷ）である、請求項２２乃至２４のいずれか１項に記載の装置。
【請求項２６】
前記第１のモデム及び前記第２のモデムが、単一のチップに統合される、請求項２２乃至２５のいずれか一項に記載の装置。
【請求項２７】
前記装置が、前記無線周波数回路をさらに含む、請求項２２乃至２６のいずれか１項に記載の装置。
【請求項２８】
前記第１のモデム及び前記第２のモデムは、単一のチップに統合され、前記無線周波数回路は、別のチップに統合される、請求項２７に記載の装置。
【手続補正２】
【補正対象書類名】明細書
【補正対象項目名】全文
【補正方法】変更
【補正の内容】
【発明の詳細な説明】
【技術分野】
【０００１】
本出願は、２０１６年１０月３１日に中国特許庁に提出された「デュアルカード・デュアルアクティブ通信方法、端末、ネットワーク及びシステム（ＤＵＡＬ  ＣＡＲＤ  ＤＵＡＬ  ＡＣＴＩＶＥ  ＣＯＭＭＵＮＩＣＡＴＩＯＮ  ＭＥＴＨＯＤ，  ＴＥＲＭＩＮＡＬ，  ＮＥＴＷＯＲＫ，  ＡＮＤ  ＳＹＳＴＥＭ）」と題する中国特許出願番号ＣＮ２０１６１０９３２９７３．８に対する優先権を主張するものであり、この明細書はその全体が参照により本明細書に組み込まれる。単なる簡単な説明のために、原文は、本明細書中でその全体を繰り返さない。
【０００２】
（技術分野）
本発明は、移動体通信技術の分野に関し、特に、デュアルカード・デュアルアクティブ通信方法（ａ  ｄｕａｌ  ｃａｒｄ  ｄｕａｌ  ａｃｔｉｖｅ  ｃｏｍｍｕｎｉｃａｔｉｏｎ  ｍｅｔｈｏｄ）、端末、ネットワーク、及びシステムに関する。
【背景技術】
【０００３】
無線通信技術の急速な発展に伴い、人々は無線端末にますます依存するようになっている。ユーザにより利便性を与えるために、端末は、デュアルカード・シングルアクティブ及びデュアルカード・デュアルアクティブの２つのタイプを特に含み得るデュアルカード通信をすでにサポートしている。デュアルカード通信技術では、端末のチップが２組のベースバンド処理プロトコルをサポートすることが要求される。更に、端末は、無線周波数の１組及びアンテナの１組を有してもよく、対応するデュアルカード通信技術は、デュアルカード・シングルアクティブである。確かに、端末は２組の無線周波数と２組のアンテナを有してもよく、対応するデュアルカード通信技術はデュアルカード・デュアルアクティブである。
【０００４】
しかし、無線周波数の１組とアンテナの１組がある場合（すなわち、デュアルカード・シングルアクティブ）、ユーザが端末に記憶された１つの加入者識別モジュール（ｓｕｂｓｃｒｉｂｅｒ  ｉｄｅｎｔｉｔｙ  ｍｏｄｕｌｅ、ＳＩＭ）カードを使用して呼び出したとき、他のＳＩＭカードは通常ページング情報を受信できず、ユーザ体験に影響を与える。さらに悪いことに、２つのＳＩＭカードに対応するページング期間が競合する場合、ページング・ミッシング確率（ｐａｇｉｎｇ  ｍｉｓｓｉｎｇ  ｐｒｏｂａｂｉｌｉｔｙ）はさらに増大する。
【０００５】
ユーザ体験を改善し、ページング・ミッシング問題を回避するために、デュアルカード・デュアルアクティブをサポートする携帯電話を使用することができる。しかし、デュアルカード・デュアルアクティブ技術では、無線周波数チップとアンテナに対する要求は非常に高い。２組の無線周波数チップと２組のアンテナが必要とされるため、製造プロセスにおいて統合を行うことは極めて困難であり、対応する端末のハードウェア・コストも比較的高い。
【発明の概要】
【０００６】
本発明の実施形態は、ページング・ミッシング確率を低減するためのデュアルカード・デュアルアクティブ通信方法、端末、ネットワーク、及びシステムを提供する。
【０００７】
第１の態様によれば、本発明は、デュアルカード・デュアルアクティブ通信方法を提供し、デュアルカード・デュアルアクティブをサポートする端末にこの方法を適用する。端末は、無線周波数回路と、無線周波数回路に別々に結合される第１のモデム及び第２のモデムを含む。第１のモデムは、第１のインターネット・プロトコル（インターネット・プロトコル、ＩＰ）マルチメディア・サブシステム（ＩＰマルチメディア・サブシステム、ＩＭＳ）モジュールを含み、第２のモデムは、第２のＩＭＳモジュールを含む。この方法は、第１のＩＭＳモジュールによって、第１のモデム及び無線周波数回路を介してネットワーク側の第１のゲートウェイに第１のアクセス要求を送信し、ネットワーク側の第１のＩＭＳネットワークにアクセスすることを要求することと、第１のＩＭＳモジュールが、第１のゲートウェイを介して第１のＩＭＳネットワーク上に安定してキャンプするとき、第１のモデム及び無線周波数回路を介してネットワーク側の第２のゲートウェイに第２のアクセス要求を送信し、ネットワーク側の第２のＩＭＳネットワークにアクセスすることを要求することと、を含む。
【０００８】
端末は、１組の無線周波数回路及び１組のモデムを使用して２つの通信リンクを実装する。デュアルカード・デュアルアクティブを低コストで実現できる。さらに、２つの異なる通信リンクがあるため、ページング・ミッシング確率を低減することができる。
【０００９】
第１の態様を参照すると、第１の態様の第１の可能な実装において、第１のアクセス要求は、第１の加入者識別モジュールに対応する登録情報及び認証情報を含む。第２のＩＭＳモジュールが、第１のゲートウェイを介して第１のＩＭＳネットワーク上に第１のＩＭＳモジュールが安定してキャンプすると判定する条件は、第１の加入者識別モジュールのためのネットワーク側によって送信された登録成功応答メッセージ及び認証成功応答メッセージを受信した後に、第１のＩＭＳモジュールによって第２のＩＭＳモジュールに受信確認情報を送信することを含む。
【００１０】
第１のＩＭＳモジュールが第１のＩＭＳネットワーク上に安定してキャンプすると判定されたときにのみ、第２のＩＭＳモジュールと第２のＩＭＳネットワークとの間の通信接続を確立することができる。さらに、端末側は、ネットワーク側から送信される登録成功応答メッセージ及び認証成功応答メッセージを受信し、登録成功応答メッセージは、第１のＩＭＳネットワークが第１の加入者識別モジュール上で登録を成功裏に行うことを示し、認証成功応答メッセージは、第１のＩＭＳネットワークが第１の加入者識別モジュール上で認証を成功裏に行うことを示す。
【００１１】
第１の態様又は第１の態様の第１の可能な実装を参照すると、第１の態様の第２の可能な実装において、第１のゲートウェイ及び第２のゲートウェイは両方ともパケット・データ・ゲートウェイである。
【００１２】
第２の態様によれば、本発明は、デュアルカード・デュアルアクティブ通信方法を提供し、この方法をネットワーク側に適用する。ネットワーク側は、第１のゲートウェイ、第２のゲートウェイ、第３のゲートウェイ、第１のゲートウェイに結合された第１のＩＭＳネットワーク、及び第３のゲートウェイに結合された第２のＩＭＳネットワークを含む。この方法は、第１のゲートウェイによって、端末によって送信された第１のアクセス要求を受信し、第１のアクセス要求に基づいて第１のＩＭＳネットワークと端末との間の通信接続を確立することと、第２のゲートウェイによって、端末によって送信された第２のアクセス要求を受信し、無線ワイファイの音声メカニズム（Ｖｏｉｃｅ  ｏｖｅｒ  Ｗｉ−Ｆｉ、ＶｏＷｉＦｉ）に基づいて第３のゲートウェイに対して伝送チャネルを確立し、伝送チャネルを使用して第２のアクセス要求を第３のゲートウェイに送信することと、第３のゲートウェイによって、第２のアクセス要求に基づいて第２のＩＭＳネットワークと端末との間の通信接続を確立することとを含む。
【００１３】
ネットワーク側は、デュアルカード・デュアルアクティブを実装するために、２つの通信リンクを使用することにより、端末側への通信接続を別々に確立する。さらに、端末側は無線周波数回路の１組とモデムの１組のみを使用するので、デュアルカード・デュアルアクティブを低コストで実装することができる。さらに、２つの異なる通信リンクがあるため、ページング・ミッシング確率を低減することができる。
【００１４】
第２の態様を参照すると、第２の態様の第１の可能な実装において、第１のアクセス要求は、第１の加入者識別モジュールＳＩＭカードに対応する登録情報及び認証情報を含む。
この方法は、さらに、第１のＩＭＳネットワークによって、第１の加入者識別モジュールに対応する登録情報に基づいて第１の加入者識別モジュールに登録を実行し、第１の加入者識別モジュールに対応する認証情報に基づいて第１の加入者識別モジュールに認証を実行することと、第１のゲートウェイ及び第２のゲートウェイを介して第１の加入者識別モジュールに対する登録成功応答メッセージ及び認証成功応答メッセージを端末に送信することと、を含む。
【００１５】
第１のＩＭＳネットワークは、第１の加入者識別モジュールの有効性を検証するために、第１の加入者識別モジュール上で登録及び認証を実行する。登録と認証が成功した後、端末側に通知し、端末側は、第１のＩＭＳモジュールと第１のＩＭＳネットワークとの間の通信接続が確立され、第１のＩＭＳモジュールが第１のＩＭＳネットワーク上に安定してキャンプできると判断する。
【００１６】
第２の態様を参照すると、第２の態様の第２の可能な実装において、第２のアクセス要求は、第２の加入者識別モジュールに対応する登録情報及び認証情報を含む。この方法は、さらに、第２のＩＭＳネットワークによって、第２の加入者識別モジュールに対応する登録情報に基づいて第２の加入者識別モジュール上に登録を実行することと、第３のゲートウェイによって、第２の加入者識別モジュールに対応する認証情報に基づいて第２の加入者識別モジュール上に認証を実行し、第２の加入者識別モジュールのための第２のＩＭＳネットワークによって送信される登録成功応答メッセージを受信し、第１のゲートウェイ及び第２のゲートウェイを介して、第２のＳＩＭのための登録成功応答メッセージ及び認証成功応答メッセージを端末に送信することと、を含む。
【００１７】
第２のＩＭＳネットワークは、第２の加入者識別モジュールの有効性を検証するために、第２の加入者識別モジュール上で登録及び認証を実行する。本発明では、第３のゲートウェイを介して第２の加入者識別モジュール上で認証を行うため、第２の加入者識別モジュール上で認証を行う従来の方法が放棄されることに留意されたい。
【００１８】
第２の態様の第２の可能な実装に対する第２の態様のうちのいずれか１つを参照すると、第２の態様の第３の可能な実装において、ボイス・オーバー・ワイヤレス・フィデリティＶｏＷｉＦｉのメカニズムに基づいて第２のゲートウェイから第３のゲートウェイに確立された伝送チャネルは、インターネット・プロトコル・セキュリティ（Ｉｎｔｅｒｎｅｔ  Ｐｒｏｔｏｃｏｌ  Ｓｅｃｕｒｉｔｙ、略してＩＰｓｅｃ）チャネルである。
【００１９】
ＶｏＷｉＦｉのメカニズムに基づいて、第２のゲートウェイと第３のゲートウェイとの間のＩＰｓｅｃチャネルを確立することは、専用ネットワークとインターネットとの間の競合を回避し、データ伝送のセキュリティと信頼性を確保する。
【００２０】
第２の態様のうちのいずれか１つに関して、第２の態様の第３の可能な実装に関して、第２の態様の第４の可能な実装において、第１のゲートウェイと第２のゲートウェイは両方ともパケット・データ・ゲートウェイであり、第３のゲートウェイは進化型パケット・データ・ゲートウェイである。
【００２１】
第３の態様によれば、本発明の１実施形態は、端末をさらに提供し、端末は、無線周波数回路と、無線周波数回路に別々に結合される第１のモデム及び第２のモデムを含む。第１のモデムは、第１のＩＰマルチメディア・サブシステムＩＭＳモジュールを含み、第２のモデムは、第２のＩＭＳモジュールを含む。第１のＩＭＳモジュールは、第１のモデム及び無線周波数回路を介してネットワーク側の第１のゲートウェイに第１のアクセス要求を送信し、ネットワーク側の第１のＩＭＳネットワークにアクセスすることを要求する。第２のＩＭＳモジュールは、第１のＩＭＳモジュールが第１のゲートウェイを介して第１のＩＭＳネットワーク上に安定してキャンプすると判定されたとき、第２のアクセス要求を第１のモデム及び無線周波数回路を介してネットワーク側の第２のゲートウェイに送信し、ネットワーク側の第２のＩＭＳネットワークにアクセスすることを要求するように構成される。
【００２２】
端末は、１組の無線周波数回路及び１組のモデムを使用して２つの通信リンクを実行する。デュアルカード・デュアルアクティブを低コストで実装できる。さらに、２つの異なる通信リンクがあるため、ページング・ミッシング確率を低減することができる。
【００２３】
第３の態様を参照すると、第３の態様の第１の可能な実装において、第１のアクセス要求は、第１の加入者識別モジュールに対応する登録情報及び認証情報を含む。第２のＩＭＳモジュールが、第１のゲートウェイを介して第１のＩＭＳネットワーク上に第１のＩＭＳモジュールが安定してキャンプすると判定することに従う条件は、第１の加入者識別モジュールのためのネットワーク側によって送信された登録成功応答メッセージ及び認証成功応答メッセージを受信した後、第１のＩＭＳモジュールによって第２のＩＭＳモジュールに受信確認情報を送信することを含む。
【００２４】
第１のＩＭＳモジュールが第１のＩＭＳネットワーク上に安定してキャンプすると判定された場合にのみ、第２のＩＭＳモジュールと第２のＩＭＳネットワークとの間の通信接続は確立することができる。さらに、具体的な判定方法は、端末側がネットワーク側から送信される登録成功応答メッセージ及び認証成功応答メッセージを受信することであり、
登録成功応答メッセージは、第１のＩＭＳネットワークが第１の加入者識別モジュール上で登録を成功裏に行うことを示し、認証成功応答メッセージは、第１のＩＭＳネットワークが第１の加入者識別モジュール上で認証を成功裏に行うことを示す。
【００２５】
第３の態様又は第３の態様の第１の可能な実装を参照して、第３の態様の第２の可能な実装において、第１のゲートウェイ及び第２のゲートウェイは両方ともパケット・データ・ゲートウェイＰＧＷである。
【００２６】
第４の態様によれば、本発明の１実施形態は、通信ネットワークをさらに提供し、通信ネットワークは、第１のゲートウェイと、第２のゲートウェイと、第３のゲートウェイと、第１のゲートウェイに結合された第１のＩＭＳネットワークと、第３のゲートウェイに結合された第２のＩＭＳネットワークとを含む。第１のゲートウェイは、端末によって送信される第１のアクセス要求を受信し、第１のアクセス要求に基づいて、第１のＩＭＳネットワークと端末との間の通信接続を確立するように構成される。第２のゲートウェイは、端末によって送信された第２のアクセス要求を受信し、ＶｏＷｉＦｉのメカニズムに基づいて第３のゲートウェイに対して伝送チャネルを確立し、伝送チャネルを使用して第３のゲートウェイに第２のアクセス要求を送信するように構成される。第３のゲートウェイは、第２のアクセス要求に基づいて、第２のＩＭＳネットワークと端末との間の通信接続を確立するように構成される。
【００２７】
ネットワーク側は、デュアルカード・デュアルアクティブを実行するために、２つの通信リンクを使用することにより、端末側への通信接続を別々に確立する。さらに、端末側は無線周波数回路の１組とモデムの１組のみを使用するので、デュアルカード・デュアルアクティブを低コストで実装することができる。さらに、２つの異なる通信リンクがあるため、ページング・ミッシング確率を低減することができる。
【００２８】
第４の態様を参照すると、第４の態様の第１の可能な実装において、第１のアクセス要求は、第１の加入者識別モジュールに対応する登録情報及び認証情報を含む。第１のＩＭＳネットワークは、第１の加入者識別モジュールに対応する登録情報に基づいて第１の加入者識別モジュールに登録を実行し、第１の加入者識別モジュールに対応する認証情報に基づいて第１の加入者識別モジュールに認証を実行し、第１の加入者識別モジュールに対する登録成功応答メッセージ及び認証成功応答メッセージを第１のゲートウェイ及び第２のゲートウェイを介して端末に送信するように構成される。
【００２９】
第１のＩＭＳネットワークは、第１の加入者識別モジュールの有効性を検証するために、第１の加入者識別モジュール上で登録及び認証を実行する。登録と認証が成功した後、端末側に通知し、端末側は、第１のＩＭＳモジュールと第１のＩＭＳネットワークとの間の通信接続が確立され、第１のＩＭＳモジュールが第１のＩＭＳネットワーク上に安定してキャンプできると判断する。
【００３０】
第４の態様を参照すると、第４の態様の第２の可能な実装において、第２のアクセス要求は、第２の加入者識別モジュールに対応する登録情報及び認証情報を含む。第２のＩＭＳネットワークは、第２の加入者識別モジュールに対応する登録情報に基づいて、第２の加入者識別モジュール上で登録を実行するように構成される。第３のゲートウェイは、さらに、第２の加入者識別モジュールに対応する認証情報に基づいて第２の加入者識別モジュール上で認証を実行し、第２の加入者識別モジュールのための第２のＩＭＳネットワークによって送信される登録成功応答メッセージを受信し、第１のゲートウェイ及び第２のゲートウェイを介して第２のＳＩＭのための登録成功応答メッセージ及び認証成功応答メッセージを端末に送信するように構成される。
【００３１】
第２のＩＭＳネットワークは、第２の加入者識別モジュールの有効性を検証するために、第２の加入者識別モジュール上で登録及び認証を実行する。本発明では、第３のゲートウェイを介して第２の加入者識別モジュール上で認証を行うために、第２の加入者識別モジュール上で認証を行う従来の方法が放棄されることに留意されたい。
【００３２】
第４の態様のうちのいずれか１つから第４の態様の第２の可能な実装を参照して、第４の態様の第３の可能な実装において、ＶｏＷｉＦｉのメカニズムに基づいて第２のゲートウェイによって第３のゲートウェイに対して確立された伝送チャネルは、インターネット・プロトコル・セキュリティＩＰｓｅｃチャネルである。
【００３３】
ＶｏＷｉＦｉのメカニズムに基づいて、第２のゲートウェイと第３のゲートウェイとの間のＩＰｓｅｃチャネルを確立することは、専用ネットワークとインターネットとの間の競合を回避し、データ伝送のセキュリティと信頼性を確保する。
【００３４】
第４の態様のいずれか１態様から第４の態様の第３の可能な実装までを参照して、第４の態様の第４の可能な実装において、第１のゲートウェイ及び第２のゲートウェイは両方ともパケット・データ・ゲートウェイであり、第３のゲートウェイは進化型パケット・データ・ゲートウェイである。
【００３５】
第５の態様によれば、本発明の１実施形態は、通信システムをさらに提供し、通信システムは、第３の態様のいずれか１態様から第３の態様の第２の可能な実施の形態までの端末と、第４の態様のいずれか１態様から第４の態様の第４の可能な実施の形態までの通信ネットワークとを含む。
【００３６】
第６の態様によれば、本発明の１実施形態は、コンピュータ読取可能命令を含むコンピュータ読取可能記憶媒体を提供する。コンピュータがコンピュータ読取可能命令を読取って実行するとき、コンピュータは、デュアルカード・デュアルアクティブ通信方法を実行できるようになる。
【００３７】
第７の態様によれば、本発明の１実施形態は、コンピュータ読取可能命令を含むコンピュータ・プログラム製品を提供する。コンピュータがコンピュータ読取可能命令を読取って実行すると、コンピュータは、デュアルカード・デュアルアクティブ通信方法を実行できるようになる。
【００３８】
以上の技術的解決策に基づき、本発明の実施形態で提供されるデュアルカード・デュアルアクティブ通信方法において、端末に含まれる第１のＩＭＳモジュールは、第１のモデム及び無線周波数回路を介してネットワーク側の第１のゲートウェイに第１のアクセス要求を送信し、第１のＩＭＳモジュールが、第１のゲートウェイを介して第１のＩＭＳネットワーク上に安定してキャンプするとき、第２のＩＭＳモジュールは、モデム及び無線周波数回路の同じセットを介して第２のゲートウェイに第２のアクセス要求を送信し、ネットワーク側の第２のＩＭＳネットワークにアクセスすることを要求する。すなわち、端末は、デュアルカード・デュアルアクティブを実行するために、モデムと無線周波数回路の同じセットを介して２つの通信リンクを確立することができる。このようにして、デュアルカード・デュアルアクティブを実装した場合、製造コストと製造困難性が低減される。さらに、２つの異なる通信リンクがあるため、ページング・ミッシング確率をさらに低減することができる。
【図面の簡単な説明】
【００３９】
【図１Ａ】本発明の１実施形態によるデュアルカード・デュアルアクティブ通信方法に対応する適用シナリオの構成図である。
【図１Ｂ】本発明の１実施形態によるデュアルカード・デュアルアクティブ通信方法に対応する適用シナリオの構成図である。
【００４０】
【図２】本発明の１実施形態によるデュアルカード・デュアルアクティブ通信方法の概略フローチャートである。
【００４１】
【図３】本発明の１実施形態による別のデュアルカード・デュアルアクティブ通信方法の概略フローチャートである。
【００４２】
【図４】本発明の１実施形態による端末の概略構造図である。
【００４３】
【図５】本発明の１実施形態による通信ネットワークの概略構造図である。
【００４４】
【図６】本発明の１実施形態による通信システムの概略構造図である。
【発明を実施するための形態】
【００４５】
本発明の技術的解決策は、添付の図面及び以下の実施形態を参照してさらに詳細に説明する。
【００４６】
本発明の実施形態の目的、技術的解決策、及び利点をより明確にするために、以下は、本発明の実施形態における添付図面を参照して、本発明の実施形態における技術的解決策を明瞭かつ完全に説明する。明らかに、記載した実施形態は、本発明の実施形態のすべてではなく、その１部である。創造的努力なしに、本発明の実施形態に基づいて当業者によって取得される他のすべての実施例は、本発明の保護範囲内に含まれるものとする。
【００４７】
図１Ａ及び図１Ｂは、本発明の１実施形態によるデュアルカード・デュアルアクティブ通信方法に対応する適用シナリオの構成図である。図１Ａ及び図１Ｂに示すように、適用シナリオの構成図は、端末、第１のゲートウェイ、第２のゲートウェイ、第３のゲートウェイ、第１のＩＭＳネットワーク、及び第２のＩＭＳネットワークを示す。端末は、デュアルカード・デュアルアクティブ機能をサポートする携帯電話であり、第１のゲートウェイは、第１のオペレータに対応する第１のパケット・データ・ゲートウェイ（Ｐａｃｋｅｔ  Ｄａｔａ  Ｇａｔｅｗａｙ、略してＰＧＷ）であってもよく、第２のゲートウェイは、第２のオペレータに対応する第２のＰＧＷゲートウェイであってもよく、第３のゲートウェイは、進化型パケット・データ・ゲートウェイ（Ｅｖｏｌｖｅｄ  Ｐａｃｋｅｔ  Ｄａｔａ  Ｇａｔｅｗａｙ、ＥＰＤＧ）であってもよい。さらに、システムは、第１のオペレータに対応する、第１の基地局（進化型ＮｏｄｅＢ（ｅｖｏｌｖｅｄ  ＮｏｄｅＢ）、略してｅＮＢ）、第１のモビリティ管理ユニット（Ｍｏｂｉｌｉｔｙ  Ｍａｎａｇｅｍｅｎｔ  Ｅｎｔｉｔｙ、略してＭＭＥ）、第１のサービス・ゲートウェイ（Ｓｅｒｖｉｎｇ  ＧａｔｅＷａｙ、略してＳ−ＧＷ）、第１のポリシー及び課金ルール機能（Ｐｏｌｉｃｙ  ａｎｄ  Ｃｈａｒｇｉｎｇ  Ｒｕｌｅｓ  Ｆｕｎｃｔｉｏｎ、略してＰＣＲＦ）ユニット、第１のホーム加入者サーバ（Ｈｏｍｅ  Ｓｕｂｓｃｒｉｂｅｒ  Ｓｅｒｖｅｒ、略してＨＳＳ）及び第１のＡＡＡ  （認証、認可及びアカウンティング（Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ）、略してＡＡＡ）サーバ、ならびに第２のオペレータに対応する第２の基地局、第２のＭＭＥ、第２のＳ−ＧＷ、第２のＰＣＲＦ、第２のＨＳＳ、及び第２のＡＡＡサーバなどをさらに含むことができる。機能的構成要素間の特定の接続関係を図１Ａ及び図１Ｂに示す。実線トラックは、第１のオペレータに対応する通信要素間の通信リンクのトラックであり、破線は、第２のオペレータに対応する通信要素間の通信リンクのトラックを表す。本明細書においては、さらなる説明は提供されない。端末、第１のゲートウェイ、第２のゲートウェイ、第３のゲートウェイ、第１のＩＭＳネットワーク、第２のＩＭＳネットワークなどによって実行される機能については、本発明の実施形態１及び実施の形態２において提供されるデュアルカード・デュアルアクティブを実装するための通信方法手順の説明を参照のこと。さらに、本発明において、他の残りの構成要素は、主に、第１の加入者識別モジュール及び第２の加入者識別モジュール上で登録及び認証を実行するように構成される。特定の登録及び認証プロセスは、既存の第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）標準プロトコルに詳細に記載されている。詳細は関連プロトコルを参照のこと。詳細は本明細書には記載しない。
【００４８】
図２は、本発明の１実施形態によるデュアルカード・デュアルアクティブ通信方法の概略フローチャート２００である。この方法は、デュアルカード・デュアルアクティブをサポートする端末に適用される。端末は、無線周波数回路と、無線周波数回路に別々に結合される第１のモデム及び第２のモデムを含む。第１のモデムは、第１のＩＰマルチメディア・サブシステムＩＭＳモジュールを含み、第２のモデムは、第２のＩＭＳモジュールを含む。端末のコンポーネントによって実行される方法は、以下のステップを含むことができる。
【００４９】
ステップ２１０：第１のＩＭＳモジュールは、第１のモデム及び無線周波数回路を使用して、ネットワーク側の第１のゲートウェイに第１のアクセス要求を送信し、ネットワーク側の第１のＩＭＳネットワークにアクセスすることを要求する。
【００５０】
具体的には、第１のアクセス要求は、第１の加入者識別モジュールに対応する登録情報及び認証情報を含むので、ネットワーク側の第１のＩＭＳネットワークは、第１の加入者識別モジュールの登録情報に基づいて第１の加入者識別モジュールに登録を行い、第１の加入者識別モジュールの認証情報に基づいて第１の加入者識別モジュールに認証を行う。ＳＩＭカードに加えて、加入者識別モジュールは、さらに、汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ、ＵＳＩＭ）カード又は仮想ＳＩＭカードのような、通信に使用することができる加入者識別モジュールカードであってもよい。特定の登録プロセス及び認証プロセスは、３ＧＰＰプロトコルに詳細に記載されている。詳細は本明細書には記載しない。
【００５１】
第２のＩＭＳモジュールが、第１のＩＭＳネットワーク上で第１のＩＭＳモジュールがキャンプに成功していると判断する条件は、第１の加入者識別モジュールのためのネットワーク側によって送信された登録成功応答メッセージ及び認証成功応答メッセージを受信した後、第１のＩＭＳモジュールは、受信確認情報を第２のＩＭＳモジュールに送信し、第２のＩＭＳモジュールは、第１のＩＭＳモジュールが第１のＩＭＳネットワーク上で成功裏にキャンプを実行すると判断することである。
【００５２】
ステップ２２０：第１のＩＭＳモジュールが、第１のゲートウェイを使用して第１のＩＭＳネットワーク上に安定してキャンプするとき、第２のＩＭＳモジュールは、第１のモデム及び無線周波数回路を使用して、ネットワーク側の第２のゲートウェイに第２のアクセス要求を送信し、ネットワーク側の第２のＩＭＳネットワークにアクセスすることを要求する。
【００５３】
具体的には、第２のアクセス要求は、第２の加入者識別モジュールに対応する登録情報及び認証情報を含むので、ネットワーク側の第２のＩＭＳネットワークは、第２の加入者識別モジュールの登録情報に基づいて第２の加入者識別モジュールに登録を行い、ネットワーク側の第３のゲートウェイは、第２の加入者識別モジュールの認証情報に基づいて第２の加入者識別モジュールに対応する認証情報に対して認証を行う。第２のＩＭＳネットワークが第２の加入者識別モジュールに登録を実行するプロセスは、３ＧＰＰプロトコルに詳細に記載され、第３のゲートウェイが第２の加入者識別モジュールに認証を実行するプロセスは、第１のＩＭＳネットワークが第１の加入者識別モジュールに認証を実行するプロセスと同一又は類似のプロセスである。これは、ステップ２１０と同様である。同様に、本明細書においては、さらなる説明は提供されない。
【００５４】
さらに、好ましくは、第１のゲートウェイ及び第２のゲートウェイはＰＧＷであり、第３のゲートウェイはｅＰＤＧである。
【００５５】
以上の技術的解決に基づき、本発明の本実施の形態で提供されるデュアルカード・デュアルアクティブ通信方法において、端末に含まれる第１のＩＭＳモジュールは、第１のモデム及び無線周波数回路を使用してネットワーク側の第１のゲートウェイに第１のアクセス要求を送信し、第１のＩＭＳモジュールが、第１のゲートウェイを使用して第１のＩＭＳネットワーク上に安定してキャンプするとき、第２のＩＭＳモジュールは、モデム及び無線周波数回路の同じセットを使用して第２のアクセス要求を第２のゲートウェイに送信して、ネットワーク側の第２のＩＭＳネットワークにアクセスすることを要求する。すなわち、端末は、デュアルカード・デュアルアクティブを実装するために、モデムと無線周波数回路の同じセットを使用することによって、２つの通信リンクを確立することができる。このようにして、デュアルカード・デュアルアクティブを実装した場合、製造コストと製造困難性が低減される。さらに、２つの異なる通信リンクがあるため、ページング・ミッシング確率をさらに低減することができる。
【００５６】
図３は、本発明の１実施形態によるデュアルカード・デュアルアクティブ通信方法の概略フローチャートである。この方法は通信ネットワークに適用される。通信ネットワークは、第１のゲートウェイ、第２のゲートウェイ、第３のゲートウェイ、第１のゲートウェイに結合された第１のＩＭＳネットワーク、及び第３のゲートウェイに結合された第２のＩＭＳネットワークを含む。さらに、ネットワーク側のコンポーネントによって特に実行される方法ステップには、以下のステップが含まれる。
【００５７】
ステップ３１０：第１のゲートウェイは、端末によって送信された第１のアクセス要求を受信し、第１のアクセス要求に基づいて、第１のＩＭＳネットワークと端末との間の通信接続を確立する。
【００５８】
具体的には、第１のアクセス要求は、第１の加入者識別モジュールに対応する登録情報及び認証情報を含む。端末によって送信された第１のアクセス要求を受信した後、第１のゲートウェイは第１のアクセス要求を第１のＩＭＳネットワークに転送する。第１のＩＭＳネットワークは、まず、第１のアクセス要求内にあり、第１の加入者識別モジュールに対応する登録情報に基づいて、第１の加入者識別モジュールに登録を実行し、第１のＳＩＭに対応する認証情報に基づいて、第１の加入者識別モジュールに認証を実行する。特定の登録プロセス及び認証プロセスは、３ＧＰＰプロトコルに詳細に記載されている。詳細は本明細書に記載しない。第１のＩＭＳネットワークは、さらに、第１のゲートウェイ及び第２のゲートウェイを使用することによって、第１の加入者識別モジュールに対する登録成功応答メッセージ及び認証成功応答メッセージを端末に送信するように構成される。
【００５９】
ステップ３２０：第２のゲートウェイは、端末によって送信された第２のアクセス要求を受信し、ＶｏＷｉＦｉのメカニズムに基づいて第３のゲートウェイへの伝送チャネルを確立し、伝送チャネルを使用して第２のアクセス要求を第３のゲートウェイに送信する。
【００６０】
具体的には、第２のアクセス要求は、第２の加入者識別モジュールに対応する登録情報及び認証情報を含む。端末によって送信された第２のアクセス要求を受信した後、第２のゲートウェイは、第２のアクセス要求を第３のゲートウェイに転送もする。伝送チャネルは、ＶｏＷｉＦｉのメカニズムに基づいて、第２のゲートウェイと第３のゲートウェイとの間に確立される。好ましくは、伝送チャネルは、ＩＰｓｅｃチャネルであってもよい。次に、暗号化されたデータ伝送を実行し、データ伝送のセキュリティを確保するために、ＩＰｓｅｃチャネルを使用して、第２のアクセス要求を第３のゲートウェイに伝送する。
【００６１】
ステップ３３０：第３のゲートウェイは、第２のアクセス要求に基づいて、第２のＩＭＳネットワークと端末との間の通信接続を確立するように構成される。
【００６２】
具体的には、第３のゲートウェイは、第２のアクセス要求内にあり、第２の加入者識別モジュールの登録情報を、第２のＩＭＳネットワークに送信する。第２のＩＭＳネットワークは、第２のアクセス要求内にあり、第２の加入者識別モジュールに対応する登録情報に基づいて、第２の加入者識別モジュールに対する登録をさらに実行することができる。登録が成功すると、第２のＩＭＳネットワークは、登録成功応答メッセージを第３のゲートウェイに送る必要がある。第３のゲートウェイは、第２の加入者識別モジュールに対し、第２のＩＭＳネットワークによって送信される登録成功応答メッセージを受信する必要がある。より重要なことに、第３のゲートウェイは、第２のアクセス要求内にあり、第２の加入者識別モジュールに対応する認証情報に基づいて、第２の加入者識別モジュール上で認証を実行するように構成される。次に、第３のゲートウェイは、第１のゲートウェイ及び第２のゲートウェイを使用して、第２の加入者識別モジュールに対する登録成功応答メッセージ及び認証成功応答メッセージを端末に送信する。同様に、登録プロセス及び認証プロセスは、３ＧＰＰプロトコルに詳細に記載されている。詳細は本明細書に記載しない。
【００６３】
好ましくは、第１のゲートウェイ及び第２のゲートウェイはＰＧＷであり、第３のゲートウェイはｅＰＤＧである。
【００６４】
本発明は、主に、ネットワーク側のＩＭＳネットワークが端末に記憶された加入者識別モジュール上で登録を成功裏に行うことを示す登録成功応答メッセージ、及びネットワーク側の送信ＭＳネットワークが端末に記憶された加入者識別モジュール上で認証を成功裏に行うことを示す認証成功応答メッセージ（上述のように、第３のゲートウェイが第２の加入者識別モジュール上で認証をさらに実行してもよい）を例示することを理解されたい。登録及び認証が成功した場合にのみ、第１の加入者識別モジュール又は第２の加入者識別モジュールと他の加入者識別モジュールとの間の通信接続を確立することができる。確かに、ＩＭＳネットワークは、加入者識別モジュール上で登録又は認証を実行できないことがある。この場合、端末側とネットワーク側との間の通信接続の確立に失敗する。
【００６５】
第１のゲートウェイを使用して端末と第１のＩＭＳネットワークとの間の通信接続を確立し、第２のゲートウェイと第３のゲートウェイを使用して端末と第２のＩＭＳネットワークとの間の通信接続を確立した後、呼接続を実行してもよい。
【００６６】
特定の実施形態では、第１のＩＭＳネットワークは、第１の呼アクセス要求が存在するか否かを定期的に検出する。例えば、第１の呼アクセス要求がある場合、第１のＩＭＳネットワークは、第１の指示情報を第１のゲートウェイに送信し、その結果、第１のゲートウェイは、端末装置の第１のＩＭＳモジュールに第１の指示情報を転送する。第１のＩＭＳモジュールは、第１の指示情報に基づいて呼接続を確立する。端末装置の画面には応答アイコンと終了アイコンが表示され、第１の呼接続にユーザが応答したり、切断したりすることができる。
【００６７】
あるいは、別の特定の例では、第２のＩＭＳネットワークはまた、第２の呼アクセス要求が存在するか否かを定期的に検出する。第２のアクセス要求があるとき、第２のＩＭＳネットワークは、第２の指示情報を第３のゲートウェイに送信し、その結果、第３のゲートウェイは、第２のゲートウェイを使用して、端末装置内の第２のＩＭＳモジュールに第２の指示情報を転送する。第２のＩＭＳモジュールは、第２の指示情報に基づいて呼接続を確立する。端末装置の画面には応答アイコンと終了アイコンが表示され、第１の呼接続にユーザが応答したり、切断したりすることができる。しかしながら、特別な場合、例えば、第１のモデム及び無線周波数回路を使用して第１のＩＭＳモジュールと第１のＩＭＳネットワークとの間の接続が確立されている場合、すなわち、「占有（ｏｃｃｕｐｉｅｄ）」状態では、外部呼が第２のＩＭＳネットワークを使用して端末内の第２のＩＭＳモジュールへの接続を確立しようとするとき、接続は失敗する。特定の実装プロセスは、携帯電話が呼接続を実行するプロセスに類似している。詳細は本明細書に記載しない。
【００６８】
本発明の実施の形態で提供されるデュアルカード・デュアルアクティブ通信方法において、端末に含まれる第１のＩＭＳモジュールは、第１のモデム及び無線周波数回路を使用してネットワーク側の第１のゲートウェイに第１のアクセス要求を送信し、第１のＩＭＳモジュールが、第１のゲートウェイを使用して第１のＩＭＳネットワーク上に安定してキャンプする場合、第２のＩＭＳモジュールは、モデム及び無線周波数回路の同じセットを使用して第２のゲートウェイに第２のアクセス要求を送信して、ネットワーク側の第２のＩＭＳネットワークにアクセスすることを要求する。すなわち、端末は、デュアルカード・デュアルアクティブを実装するために、モデムと無線周波数回路の同じセットを使用することによって、２つの通信リンクを確立することができる。このようにして、デュアルカード・デュアルアクティブを実装した場合、製造コストと製造困難性が低減される。さらに、２つの異なる通信リンクがあるため、ページング・ミッシング確率をさらに低減することができる。
【００６９】
本発明のこの実施の形態で提供されるデュアルカード・デュアルアクティブ通信方法において、第１のゲートウェイは、端末によって送信される第１のアクセス要求を受信し、第１のアクセス要求に基づいて、第１のＩＭＳネットワークと端末との間の通信接続を確立する。第２のゲートウェイは、端末によって送信された第２のアクセス要求を受信し、端末が第１のＩＭＳネットワーク上に安定してキャンプするとき、第２のゲートウェイは、ＶｏＷｉＦｉのメカニズムに基づいて第３のゲートウェイに対して伝送チャネルを確立し、第３のゲートウェイを使用して第２のアクセス要求に基づいて第２のＩＭＳネットワークと端末との間の通信接続を確立する。デュアルカード・デュアルアクティブを実装すると、製造コストと製造困難性を低減できる。さらに、２つの異なる通信リンクがあるため、ページング・ミッシング確率をさらに低減することができる。
【００７０】
なお、実施例１及び実施例２を含めた上述のデュアルカード・デュアルアクティブを実行するための通信方法手順においては、上記に関連する登録プロセス及び認証プロセスは１回のみ実行されることに留意されたい。登録及び認証が成功した後は、その後の操作中に再度動作を行う必要はなく、前述の具体例に対応した呼接続が実行される。
【００７１】
本発明の１実施形態は、さらに、端末を提供する。端末のコンポーネントによって実行される方法ステップは、図２に示される方法手順に対応する。関連する機能については、方法ステップと方法手順を参照のこと。具体的には、図４に示すように、図４は、本発明の１実施形態による端末４００の概略構造図である。端末は、無線周波数回路４１と、無線周波数回路に別々に結合された第１のモデム４２及び第２のモデム４３とを含む。第１のモデム４２は、第１のＩＰマルチメディア・サブシステムＩＭＳモジュール４２０を含み、第２のモデム４３は、第２のＩＭＳモジュール４３０を含む。
【００７２】
第１のＩＭＳモジュール４２０は、第１のモデム４２及び無線周波数回路４１を使用することによって、ネットワーク側の第１のゲートウェイに第１のアクセス要求を送信し、ネットワーク側の第１のＩＭＳネットワークにアクセスすることを要求する。
【００７３】
第１のＩＭＳモジュール４２０が、第１のゲートウェイを使用することによって第１のＩＭＳネットワーク上に安定してキャンプすると判定されたとき、第２のＩＭＳモジュール４３０は、第１のモデム４２及び無線周波数回路４１を使用することによって、ネットワーク側の第２のゲートウェイに第２のアクセス要求を送信し、ネットワーク側の第２のＩＭＳネットワークにアクセスすることを要求する。
【００７４】
第１のアクセス要求には、第１の加入者識別モジュールに対応する登録情報及び認証情報が含まれる。さらに、第２のＩＭＳモジュールが、第１のゲートウェイを使用することによって第１のＩＭＳモジュールが第１のＩＭＳネットワーク上に安定してキャンプすると判定する条件は、第１の加入者識別モジュールのためのものネットワーク側によって送信された登録成功応答メッセージ及び認証成功応答メッセージを受信した後、第１のＩＭＳモジュールによって第２のＩＭＳモジュールに受信確認情報を送信することである。
【００７５】
好ましくは、第１のゲートウェイと第２のゲートウェイの両方は、パケット・データ・ゲートウェイＰＧＷである。
【００７６】
実行時に、本発明の実施例３で提供される端末の構成要素は、本発明の実施例１で提供されるデュアルカード・デュアルアクティブ通信方法で実行される方法ステップを実行する。構成要素の動きの詳細については、本発明の実施形態１に提供される方法を参照のこと。詳細はここでは再び記載しない。
【００７７】
本発明の実施例３に記載の端末によれば、端末に含まれる第１のＩＭＳモジュールは、第１のモデム及び無線周波数回路を使用してネットワーク側の第１のゲートウェイに第１のアクセス要求を送信し、第１のＩＭＳモジュールが、第１のゲートウェイを使用して第１のＩＭＳネットワーク上に安定してキャンプするとき、第２のＩＭＳモジュールは、モデム及び無線周波数回路の同じセットを使用して第２のゲートウェイに第２のアクセス要求を送信して、ネットワーク側の第２のＩＭＳネットワークにアクセスすることを要求する。すなわち、端末は、デュアル・カード・デュアル・アクティブを実装するために、モデムと無線周波数回路の同じセットを使用することによって、２つの通信リンクを確立することができる。従って、デュアルカード・デュアルアクティブを実装した場合、製造コストと製造困難性が低減される。さらに、２つの異なる通信リンクがあるため、ページング・ミッシング確率をさらに低減することができる。
【００７８】
本発明の１実施形態は、さらに、通信ネットワークを提供し、通信ネットワークは、図２に示される方法手順に対応する。関連する機能については、通信ネットワーク及び方法手順を参照のこと。具体的には、図５に示すように、図５は、本発明の１実施形態によるネットワーク側における伝送システム５００の概略構造図である。システムは、第１のゲートウェイ５１、第２のゲートウェイ５２、第３のゲートウェイ５３、第１のゲートウェイ５１に結合された第１のＩＭＳネットワーク５４、及び第３のゲートウェイ５３に結合された第２のＩＭＳネットワーク５５を含む。
【００７９】
第１のゲートウェイ５１は、端末によって送信される第１のアクセス要求を受信し、第１のアクセス要求に基づいて、第１のＩＭＳネットワーク５４と端末との間の通信接続を確立するように構成される。
【００８０】
第１のアクセス要求には、第１の加入者識別モジュールに対応する登録情報及び認証情報が含まれる。第１のＩＭＳネットワーク５４は、第１の加入者識別モジュールに対応する登録情報に基づいて第１の加入者識別モジュール上で登録を実行し、第１の加入者識別モジュールに対応する認証情報に基づいて第１の加入者識別モジュール上で認証を実行するように構成される。次に、第１のＩＭＳネットワークは、第１のゲートウェイ５１及び第２のゲートウェイ５２を使用して、第１の加入者識別モジュールに対する登録成功応答メッセージ及び認証成功応答メッセージを端末に送信し、端末は、第１の加入者識別モジュールに対する登録成功応答メッセージ及び認証成功応答メッセージに基づいて、端末と第１のＩＭＳネットワーク５４との間の通信接続が確立され、端末が第１のＩＭＳネットワーク５４上に安定してキャンプすることを判定する。
【００８１】
第２のゲートウェイ５２は、端末によって送信された第２のアクセス要求を受信し、ＶｏＷｉＦｉのメカニズムに基づいて第３のゲートウェイ５３に対して伝送チャネルを確立し、伝送チャネルを使用して第３のゲートウェイ５３に第２のアクセス要求を送信するように構成される。
【００８２】
第３のゲートウェイ５３は、第２のアクセス要求に基づいて、第２のＩＭＳネットワーク５５と端末との間の通信接続を確立するように構成される。
【００８３】
具体的には、第２のアクセス要求は、第２の加入者識別モジュールに対応する登録情報及び認証情報を含む。第２のＩＭＳネットワーク５５は、第２の加入者識別モジュールに対応する登録情報に基づいて、第２の加入者識別モジュール上で登録を実行するように構成される。第３のゲートウェイ５３は、さらに、第２の加入者識別モジュールに対応する認証情報に基づいて第２の加入者識別モジュール上で認証を実行し、第２の加入者識別モジュールのための第２のＩＭＳネットワーク５５によって送信される登録成功応答メッセージを受信し、第１のゲートウェイ５１及び第２のゲートウェイ５２を使用して、第２のＳＩＭのための登録成功応答メッセージ及び認証成功応答メッセージを端末に送信するように構成される。
【００８４】
好ましくは、ＶｏＷｉＦｉのメカニズムに基づいて第２のゲートウェイ５２によって第３のゲートウェイ５３に対して確立された伝送チャネルは、暗号化データ伝送を実行し、データ伝送のセキュリティを保証するために、インターネット・プロトコル・セキュリティＩＰｓｅｃチャネルであってもよい。さらに、第１のゲートウェイ５１と第２のゲートウェイ５２の両方はパケット・データ・ゲートウェイであり、第３のゲートウェイ５３は進化型パケット・データ・ゲートウェイである。
【００８５】
動作中、本発明の実施例４で提供されるネットワーク側の伝送システムの構成要素は、本発明の実施例２で提供されるデュアルカード・デュアルアクティブ通信方法で実行される方法ステップを実行する。コンポーネントの動きの詳細については、本発明の実施形態２に記載の方法を参照のこと。詳細はここでは再び記載しない。
【００８６】
本発明のこの実施形態で提供されるネットワーク側の伝送システムにおいて、第１のゲートウェイは、端末によって送信される第１のアクセス要求を受信し、第１のアクセス要求に基づいて、第１のＩＭＳネットワークと端末との間の通信接続を確立する。第２のゲートウェイは、端末によって送信された第２のアクセス要求を受信し、端末が第１のＩＭＳネットワーク上に安定してキャンプするとき、第２のゲートウェイは、ＶｏＷｉＦｉのメカニズムに基づいて第３のゲートウェイに対する伝送チャネルを確立し、第３のゲートウェイを使用して第２のアクセス要求に基づいて第２のＩＭＳネットワークと端末との間の通信接続を確立する。デュアルカード・デュアルアクティブを実装すると、製造コストと製造困難性を低減できる。さらに、２つの異なる通信リンクがあるため、ページング・ミッシング確率をさらに低減することができる。
【００８７】
さらに、本発明の１実施形態は、通信システム６００をさらに提供する。具体的には、図６に示されるように、システムは、実施例３に説明される端末６０１と、実施例４に説明されるネットワーク側に伝送システム６０２とを含む。システムの端末６０１及びネットワーク側伝送システム６０２によって実行される方法ステップは、上で詳細に説明された。詳細はここでは再び記載しない。第１のＩＭＳモジュールとネットワーク側との間の通信接続を確立するトラックについては、図６の通信ライン１（実線トラック）を参照のこと。さらに、第２のＩＭＳモジュールとネットワーク側との間の接続を確立するトラックについては、図６の通信ライン２（破線部）を参照のこと。
【００８８】
本明細書に開示される実施形態に記載される方法又はアルゴリズムのステップは、ハードウェア、処理モジュールによって実行されるソフトウェア・モジュール、又はそれらの組み合わせによって実装されてもよい。ソフトウェア・モジュールは、ランダム・アクセス・メモリ（ＲＡＭ）、メモリ、リードオンリー・メモリ（ＲＯＭ）、電気的プログラム可能ＲＯＭ、電気的消去可能プログラマブルＲＯＭ、レジスタ、ハード・ディスク、リムーバブル・ディスク、ＣＤ−ＲＯＭ、又は当技術分野で公知の任意の他の形式の記憶媒体に存在することができる。
【００８９】
上述の特定の実施形態では、本発明の目的、技術的解決策、及び利点についてさらに詳細に説明した。上述の説明は、単に本発明の特定の実装に過ぎず、本発明の保護範囲を限定することを意図するものではないことを理解されたい。本発明の精神及び原理から逸脱することなくなされるいかなる修正、均等物の交換、又は改良も、本発明の保護範囲に含まれるべきである。
【国際調査報告】
2019533960.tif 000010
2019533960.tif 000011
2019533960.tif 000012
2019533960.tif 000013
2019533960.tif 000014
2019533960.tif 000015